(57)【要約】【課題】違和感が無く且つ利便性の高いメニュー画像を生成することができる技術を提供する。【解決手段】本発明の画像処理装置は、可視光成分と不可視光成分を含むメニュー画像を生成する生成手段と、前記メニュー画像を用いたユーザ操作に応じた処理を行う処理手段と、を有し、前記メニュー画像には、前記可視光成分を調整するための第１項目と、前記不可視光成分を調整するための第２項目とが配置されており、前記生成手段は、前記第１項目の前記可視光成分のコントラストが前記第１項目の前記不可視光成分のコントラストよりも高いという第１条件、及び、前記第２項目の前記不可視光成分のコントラストが前記第２項目の前記可視光成分のコントラストよりも高いという第２条件、の少なくとも一方が満たされるように、前記メニュー画像を生成する。【選択図】図１１
2019012892.tif 000002
【特許請求の範囲】
【請求項１】
可視光成分と不可視光成分を含むメニュー画像を生成する生成手段と、
前記メニュー画像を用いたユーザ操作に応じた処理を行う処理手段と、
を有し、
前記メニュー画像には、前記可視光成分を調整するための第１項目と、前記不可視光成分を調整するための第２項目とが配置されており、
前記生成手段は、
前記第１項目の前記可視光成分のコントラストが前記第１項目の前記不可視光成分のコントラストよりも高いという第１条件、及び、
前記第２項目の前記不可視光成分のコントラストが前記第２項目の前記可視光成分のコントラストよりも高いという第２条件、
の少なくとも一方が満たされるように、前記メニュー画像を生成する
ことを特徴とする画像処理装置。
【請求項２】
前記第１項目と前記第２項目のそれぞれは、前景と背景からなり、
前記生成手段は、前記前景の階調値と前記背景の階調値との差を変更することにより前記コントラストを変更する
ことを特徴とする請求項１に記載の画像処理装置。
【請求項３】
前記第１項目と前記第２項目のそれぞれは、前景と背景からなり、
前記生成手段は、前記背景の階調値に対する前記前景の階調値の比率を変更することにより前記コントラストを変更する
ことを特徴とする請求項１に記載の画像処理装置。
【請求項４】
前記メニュー画像には、当該メニュー画像に配置された複数の項目のいずれかを選択するためのカーソルがさらに配置されており、
前記生成手段は、
前記カーソルの前記可視光成分のコントラストが前記第２項目の前記可視光成分のコントラストよりも高いという第３条件、及び、
前記カーソルの前記不可視光成分のコントラストが前記第１項目の前記不可視光成分のコントラストよりも高いという第４条件、
の少なくとも一方がさらに満たされるように、前記メニュー画像を生成する
ことを特徴とする請求項１〜３のいずれか１項に記載の画像処理装置。
【請求項５】
前記メニュー画像は、第１可視光成分、第２可視光成分、及び、前記不可視光成分を含み、
暗視ゴーグルを使用しているユーザは、前記第１可視光成分を知覚することができずに、前記不可視光成分と前記第２可視光成分を知覚することができ、
前記第１項目は、前記第１可視光成分を調整するための項目であり、
前記メニュー画像には、前記第２可視光成分を調整するための第３項目がさらに配置されており、
前記生成手段は、
前記第３項目の前記可視光成分のコントラストが前記第２項目の前記可視光成分のコントラストよりも高いという第５条件、及び、
前記第３項目の前記不可視光成分のコントラストが前記第１項目の前記不可視光成分のコントラストよりも高いという第６条件、
の少なくとも一方がさらに満たされるように、前記メニュー画像を生成する
ことを特徴とする請求項１〜４のいずれか１項に記載の画像処理装置。
【請求項６】
前記第１項目と前記第２項目のそれぞれは、文字列とアイコンの少なくとも一方を含むことを特徴とする請求項１〜５のいずれか１項に記載の画像処理装置。
【請求項７】
可視光成分と不可視光成分を含むメニュー画像を生成する生成手段と、
前記メニュー画像を用いたユーザ操作に応じた処理を行う処理手段と、
を有し、
前記メニュー画像には、前記可視光成分を調整するための第１項目と、前記不可視光成分を調整するための第２項目とが配置されており、
前記第１項目と前記第２項目のそれぞれは、前景と背景からなり、
暗視ゴーグルを使用しているユーザは、前記可視光成分と前記不可視光成分を所定の比率で合成した合成成分を知覚することができ、
前記生成手段は、
前記第１項目に関して、前記前景の前記可視光成分の階調値と、前記背景の前記可視光成分の階調値との差の絶対値が、前記前景の前記合成成分の階調値と、前記背景の前記合成成分の階調値との差の絶対値よりも大きいという条件、及び、
前記第２項目に関して、前記前景の前記合成成分の階調値と、前記背景の前記合成成分の階調値との差の絶対値が、前記前景の前記可視光成分の階調値と、前記背景の前記可視光成分の階調値との差の絶対値よりも大きいという条件、
の少なくとも一方が満たされるように、前記メニュー画像を生成する
ことを特徴とする画像処理装置。
【請求項８】
可視光成分と不可視光成分を含むメニュー画像を生成する生成手段と、
前記メニュー画像を用いたユーザ操作に応じた処理を行う処理手段と、
を有し、
前記メニュー画像には、前記可視光成分を調整するための第１項目と、前記不可視光成分を調整するための第２項目とが配置されており、
前記生成手段は、
前記第１項目に対して、暗視ゴーグルを使用しているユーザの知覚できる光成分が低減された第１画像が付加されているという条件、及び、
前記第２項目に対して、前記暗視ゴーグルを使用しているユーザの知覚できる前記光成分が低減された第２画像が付加されているという条件、
の少なくとも一方が満たされるように、前記メニュー画像を生成し、
ことを特徴とする画像処理装置。
【請求項９】
さらに投影手段を備え、
前記生成手段で生成された前記メニュー画像を前記投影手段で投影する
ことを特徴とする請求項１〜８のいずれか１項に記載の画像処理装置。
【請求項１０】
さらに、前記投影手段で前記メニュー画像を投影中に、リモートコントローラからのユーザ操作を受け付ける受付部を有する
ことを特徴とする請求項９に記載の画像処理装置。
【請求項１１】
可視光成分と不可視光成分を含むメニュー画像を生成する生成ステップと、
前記メニュー画像を用いたユーザ操作に応じた処理を行う処理ステップと、
を有し、
前記メニュー画像には、前記可視光成分を調整するための第１項目と、前記不可視光成分を調整するための第２項目とが配置されており、
前記生成ステップでは、
前記第１項目の前記可視光成分のコントラストが前記第１項目の前記不可視光成分のコントラストよりも高いという第１条件、及び、
前記第２項目の前記不可視光成分のコントラストが前記第２項目の前記可視光成分のコントラストよりも高いという第２条件、
の少なくとも一方が満たされるように、前記メニュー画像を生成する
ことを特徴とする画像処理方法。
【請求項１２】
可視光成分と不可視光成分を含むメニュー画像を生成する生成ステップと、
前記メニュー画像を用いたユーザ操作に応じた処理を行う処理ステップと、
を有し、
前記メニュー画像には、前記可視光成分を調整するための第１項目と、前記不可視光成分を調整するための第２項目とが配置されており、
前記第１項目と前記第２項目のそれぞれは、前景と背景からなり、
暗視ゴーグルを使用しているユーザは、前記可視光成分と前記不可視光成分を所定の比率で合成した合成成分を知覚することができ、
前記生成ステップでは、
前記第１項目に関して、前記前景の前記可視光成分の階調値と、前記背景の前記可視光成分の階調値との差の絶対値が、前記前景の前記合成成分の階調値と、前記背景の前記合成成分の階調値との差の絶対値よりも大きいという条件、及び、
前記第２項目に関して、前記前景の前記合成成分の階調値と、前記背景の前記合成成分の階調値との差の絶対値が、前記前景の前記可視光成分の階調値と、前記背景の前記可視光成分の階調値との差の絶対値よりも大きいという条件、
の少なくとも一方が満たされるように、前記メニュー画像を生成する
ことを特徴とする画像処理方法。
【請求項１３】
可視光成分と不可視光成分を含むメニュー画像を生成する生成ステップと、
前記メニュー画像を用いたユーザ操作に応じた処理を行う処理ステップと、
を有し、
前記メニュー画像には、前記可視光成分を調整するための第１項目と、前記不可視光成分を調整するための第２項目とが配置されており、
前記生成ステップでは、
前記第１項目に対して、暗視ゴーグルを使用しているユーザの知覚できる光成分が低減された第１画像が付加されているという条件、及び、
前記第２項目に対して、前記暗視ゴーグルを使用しているユーザの知覚できる前記光成分が低減された第２画像が付加されているという条件、
の少なくとも一方が満たされるように、前記メニュー画像を生成し、
ことを特徴とする画像処理方法。
【請求項１４】
請求項１１〜１３のいずれか１項に記載の画像処理方法の各ステップをコンピュータに実行させるためのプログラム。
【請求項１５】
請求項１１〜１３のいずれか１項に記載の画像処理方法の各ステップをコンピュータに実行させるためのプログラムを格納したコンピュータが読み取り可能な記憶媒体。
【発明の詳細な説明】
【技術分野】
【０００１】
本発明は、画像処理装置および画像処理方法に関する。
【背景技術】
【０００２】
夜間訓練を模した訓練のためのシミュレータ（夜間訓練用シミュレータ）がある。一般的に、夜間訓練用シミュレータでは、不可視光成分の画像（不可視光画像）を表示可能な表示装置として、赤外光源を有する投影装置が用いられる。このような投影装置は、不可視光である赤外光を投影することで、夜間の状態を模した不可視光画像である赤外光画像を表示する。ユーザは、赤外光を可視光に変換する暗視ゴーグル（暗視装置；Ｎｉｇｈｔ
Ｖｉｓｉｏｎ  Ｇｏｇｇｌｅ）などの暗視ゴーグル（暗視装置）を装着して赤外光画像を視認し、上記訓練を行うことができる。夜間には、可視光が弱いために物体が肉眼で容易に視認できないことがある。暗視ゴーグルは赤外照明、夜空、等から照射された赤外光を増幅して可視化するため、暗視ゴーグルを用いることにより、物体が夜間でも容易に視認可能となる。夜間訓練用シミュレータを用いることにより、そのような夜間の状況に対応する訓練が可能となる。
【０００３】
上記訓練では、暗視ゴーグルを使用していないユーザなどのために、可視光の投影によって、可視光成分の画像（可視光画像）が表示されることが好ましい。特許文献１には、可視光画像と不可視光画像を同時に表示することができるシステムが開示されている。
【０００４】
また、表示された画像（表示画像）の調整のために、メニュー画像を用いたユーザ操作が行われることがある。メニュー画像には、例えば、輝度調整項目、コントラスト調整項目、ガンマ調整項目、色相調整項目、彩度調整項目、複数の色成分にそれぞれ対応する複数のレベル調整項目、等が配置される。
【０００５】
一般的な表示装置では、色成分として、赤色成分、緑色成分、及び、青色成分が用いらされる。赤色成分、緑色成分、及び、青色成分のそれぞれは、可視光成分に対応する。一方で、可視光画像と不可視光画像を表示可能な表示装置では、色成分として、不可視光成分に対応する色成分がさらに用いられる。具体的には、赤外光成分に対応する色成分（赤外色成分）がさらに用いられる。そのため、夜間訓練用シミュレータでは、メニュー画像の項目数が多く、メニュー画像を用いたユーザ操作が煩雑なことがある。
【０００６】
特許文献２には、特定の情報を赤外光のみで表示する技術が開示されている。特許文献２に開示の技術を用いれば、赤外光成分に関する項目を赤外光のみで表示することにより、肉眼で視認できる項目の数を減らすことができる。
【先行技術文献】
【特許文献】
【０００７】
【特許文献１】特開２０１０−１４００１７号公報
【特許文献２】特開２００５−６２７４８号公報
【発明の概要】
【発明が解決しようとする課題】
【０００８】
しかしながら、赤外光成分に関する項目を赤外光のみで表示すると、暗視ゴーグルを使用していないユーザは、当該項目を視認することができない。そして、暗視ゴーグルを使用していないユーザは、赤外光成分に関する項目が表示されている領域に項目が存在するのか否かを把握することができず、違和感を抱く。このような違和感は、ユーザの心理的
負担にもつながる。
【０００９】
本発明は、違和感が無く且つ利便性の高いメニュー画像を生成することができる技術を提供することを目的とする。
【課題を解決するための手段】
【００１０】
本発明の第１の態様は、
可視光成分と不可視光成分を含むメニュー画像を生成する生成手段と、
前記メニュー画像を用いたユーザ操作に応じた処理を行う処理手段と、
を有し、
前記メニュー画像には、前記可視光成分を調整するための第１項目と、前記不可視光成分を調整するための第２項目とが配置されており、
前記生成手段は、
前記第１項目の前記可視光成分のコントラストが前記第１項目の前記不可視光成分のコントラストよりも高いという第１条件、及び、
前記第２項目の前記不可視光成分のコントラストが前記第２項目の前記可視光成分のコントラストよりも高いという第２条件、
の少なくとも一方が満たされるように、前記メニュー画像を生成する
ことを特徴とする画像処理装置である。
【００１１】
本発明の第２の態様は、
可視光成分と不可視光成分を含むメニュー画像を生成する生成手段と、
前記メニュー画像を用いたユーザ操作に応じた処理を行う処理手段と、
を有し、
前記メニュー画像には、前記可視光成分を調整するための第１項目と、前記不可視光成分を調整するための第２項目とが配置されており、
前記第１項目と前記第２項目のそれぞれは、前景と背景からなり、
暗視ゴーグルを使用しているユーザは、前記可視光成分と前記不可視光成分を所定の比率で合成した合成成分を知覚することができ、
前記生成手段は、
前記第１項目に関して、前記前景の前記可視光成分の階調値と、前記背景の前記可視光成分の階調値との差の絶対値が、前記前景の前記合成成分の階調値と、前記背景の前記合成成分の階調値との差の絶対値よりも大きいという条件、及び、
前記第２項目に関して、前記前景の前記合成成分の階調値と、前記背景の前記合成成分の階調値との差の絶対値が、前記前景の前記可視光成分の階調値と、前記背景の前記可視光成分の階調値との差の絶対値よりも大きいという条件、
の少なくとも一方が満たされるように、前記メニュー画像を生成する
ことを特徴とする画像処理装置である。
【００１２】
本発明の第３の態様は、
可視光成分と不可視光成分を含むメニュー画像を生成する生成手段と、
前記メニュー画像を用いたユーザ操作に応じた処理を行う処理手段と、
を有し、
前記メニュー画像には、前記可視光成分を調整するための第１項目と、前記不可視光成分を調整するための第２項目とが配置されており、
前記生成手段は、
前記第１項目に対して、暗視ゴーグルを使用しているユーザの知覚できる光成分が低減された第１画像が付加されているという条件、及び、
前記第２項目に対して、前記暗視ゴーグルを使用しているユーザの知覚できる前記光成分が低減された第２画像が付加されているという条件、
の少なくとも一方が満たされるように、前記メニュー画像を生成し、
ことを特徴とする画像処理装置である。
【００１３】
本発明の第４の態様は、
可視光成分と不可視光成分を含むメニュー画像を生成する生成ステップと、
前記メニュー画像を用いたユーザ操作に応じた処理を行う処理ステップと、
を有し、
前記メニュー画像には、前記可視光成分を調整するための第１項目と、前記不可視光成分を調整するための第２項目とが配置されており、
前記生成ステップでは、
前記第１項目の前記可視光成分のコントラストが前記第１項目の前記不可視光成分のコントラストよりも高いという第１条件、及び、
前記第２項目の前記不可視光成分のコントラストが前記第２項目の前記可視光成分のコントラストよりも高いという第２条件、
の少なくとも一方が満たされるように、前記メニュー画像を生成する
ことを特徴とする画像処理方法である。
【００１４】
本発明の第５の態様は、
可視光成分と不可視光成分を含むメニュー画像を生成する生成ステップと、
前記メニュー画像を用いたユーザ操作に応じた処理を行う処理ステップと、
を有し、
前記メニュー画像には、前記可視光成分を調整するための第１項目と、前記不可視光成分を調整するための第２項目とが配置されており、
前記第１項目と前記第２項目のそれぞれは、前景と背景からなり、
暗視ゴーグルを使用しているユーザは、前記可視光成分と前記不可視光成分を所定の比率で合成した合成成分を知覚することができ、
前記生成ステップでは、
前記第１項目に関して、前記前景の前記可視光成分の階調値と、前記背景の前記可視光成分の階調値との差の絶対値が、前記前景の前記合成成分の階調値と、前記背景の前記合成成分の階調値との差の絶対値よりも大きいという条件、及び、
前記第２項目に関して、前記前景の前記合成成分の階調値と、前記背景の前記合成成分の階調値との差の絶対値が、前記前景の前記可視光成分の階調値と、前記背景の前記可視光成分の階調値との差の絶対値よりも大きいという条件、
の少なくとも一方が満たされるように、前記メニュー画像を生成する
ことを特徴とする画像処理方法である。
【００１５】
本発明の第６の態様は、
可視光成分と不可視光成分を含むメニュー画像を生成する生成ステップと、
前記メニュー画像を用いたユーザ操作に応じた処理を行う処理ステップと、
を有し、
前記メニュー画像には、前記可視光成分を調整するための第１項目と、前記不可視光成分を調整するための第２項目とが配置されており、
前記生成ステップでは、
前記第１項目に対して、暗視ゴーグルを使用しているユーザの知覚できる光成分が低減された第１画像が付加されているという条件、及び、
前記第２項目に対して、前記暗視ゴーグルを使用しているユーザの知覚できる前記光成分が低減された第２画像が付加されているという条件、
の少なくとも一方が満たされるように、前記メニュー画像を生成し、
ことを特徴とする画像処理方法である。
【００１６】
本発明の第７の態様は、上述した画像処理方法の各ステップをコンピュータに実行させるためのプログラムである。
【００１７】
本発明の第８の態様は、上述した画像処理方法の各ステップをコンピュータに実行させるためのプログラムを格納したコンピュータが読み取り可能な記憶媒体である。
【発明の効果】
【００１８】
本発明によれば、違和感が無く且つ利便性の高いメニュー画像を生成することができる。
【図面の簡単な説明】
【００１９】
【図１】実施例１〜３に係る表示システムの構成例
【図２】実施例１〜３に係る投影画像の一例
【図３】実施例１〜３に係る液晶プロジェクタの構成例
【図４】実施例１〜３に係る暗視ゴーグルの構成例
【図５】実施例１〜３に係るパーソナルコンピュータの構成例
【図６】実施例１〜３に係る液晶プロジェクタの処理フロー例
【図７】実施例１に係るメニュー画像の一例
【図８】実施例１〜３に係る表示タイプの一例
【図９】実施例１に係るメニュー画像の階調値や輝度の一例
【図１０】実施例１〜３に係る感度特性の一例
【図１１】実施例１に係るメニュー画像の見え（肉眼）の一例
【図１２】実施例１に係るメニュー画像の見え（暗視ゴーグル越し）の一例
【図１３】実施例２，３に係るメニュー画像の一例
【図１４】実施例２，３に係るメニュー画像の階調値の一例
【図１５】実施例２，３に係るメニュー画像の見え（肉眼）の一例
【図１６】実施例２，３に係るメニュー画像の見え（暗視ゴーグル越し）の一例
【発明を実施するための形態】
【００２０】
＜実施例１＞
本発明の実施例１について説明する。以下では、本実施例に係る画像処理装置が投影装置に設けられている例を説明する。投影装置は特に限定されない。投影装置には、液晶プロジェクタ、ＤＬＰプロジェクタ、等がある。液晶プロジェクタの方式は特に限定されない。液晶プロジェクタの方式には、単板式、複数の色成分にそれぞれ対応する複数の液晶パネルを用いる方式、等がある。ＤＬＰプロジェクタは、表示デバイスとしてＤＭＤ（登録商標、Ｄｉｇｉｔａｌ  Ｍｉｒｒｏｒ  Ｄｅｖｉｃｅ）などを有する。なお、画像処理装置は、投影装置とは別体の装置であってもよい。例えば、画像処理装置は、パーソナルコンピュータ（ＰＣ）、デジタルカメラ、携帯電話、スマートフォン、ブルーレイプレーヤ、ハードディスクレコーダ、ゲーム機、等であってもよい。
【００２１】
（表示システムの構成）
図１は、本実施例に係る表示システムの構成例を示す概略図である。図１の表示システムは、例えば、各種訓練のために使用される。図１に示すように、本実施例に係る表示システムは、液晶プロジェクタ１００、パーソナルコンピュータ１０１、暗視ゴーグル１０７、等を有する。
【００２２】
液晶プロジェクタ１００は、ビデオケーブル１０２，１０３を用いてパーソナルコンピュータ１０１に接続されている。パーソナルコンピュータ１０１の代わりに、デジタルカメラ、携帯電話、スマートフォン、ブルーレイプレーヤ、ハードディスクレコーダ、ゲーム機、等が使用されてもよい。ビデオケーブル１０２，１０３のそれぞれは、ＨＤＭＩ（
Ｈｉｇｈ−Ｄｅｆｉｎｉｔｉｏｎ  Ｍｕｌｔｉｍｅｄｉａ  Ｉｎｔｅｒｆａｃｅ）（登録商標）ケーブルなどである。
【００２３】
液晶プロジェクタ１００は、可視光画像を表す画像データを、ビデオケーブル１０２を介してパーソナルコンピュータ１０１から受信する。可視光画像は、可視光成分（赤色光成分、緑色光成分、青色光成分、等）のみを含む画像である。可視光画像は、「可視光成分に対応する色成分（赤色成分、緑色成分、青色成分、等）のみを含む画像」とも言える。本実施例では、可視光画像として、赤色成分、緑色成分、及び、青色成分のみを含むＲＧＢ画像が使用される。以後、ＲＧＢ画像を表す画像データを「ＲＧＢ画像データ」と記載する。
【００２４】
また、液晶プロジェクタ１００は、不可視光画像を表す画像データを、ビデオケーブル１０３を介してパーソナルコンピュータ１０１から受信する。不可視光画像は、不可視光成分（赤外光成分など）のみを含む画像である。不可視光画像は、「不可視光成分に対応する色成分（赤外色成分など）のみを含む画像」とも言える。本実施例では、不可視光画像として、赤外色成分のみを含むＩＲ（Ｉｎｆｒａｒｅｄ）画像が使用される。以後、ＩＲ画像を表す画像データを「ＩＲ画像データ」と記載する。
【００２５】
液晶プロジェクタ１００は、ＲＧＢ画像データに基づく可視光をスクリーン（投影面）１０４に投影することにより、ＲＧＢ画像を投影画像１０５としてスクリーン１０４に表示（形成）する。また、液晶プロジェクタ１００は、ＩＲ画像データに基づく赤外光（不可視光）をスクリーン１０４に投影することにより、ＩＲ画像を投影画像１０５としてスクリーン１０４に表示する。可視光で表示されたＲＧＢ画像については肉眼（裸眼）での視認が可能であるが、赤外光で表示されたＩＲ画像については肉眼での視認が不可能または困難である。なお、ＲＧＢ画像を表示するための可視光には不可視光成分がわずかに含まれていてもよいし、ＩＲ画像を表示するための赤外光には可視光成分がわずかに含まれていてもよい。
【００２６】
暗視ゴーグル（Ｎｉｇｈｔ  Ｖｉｓｉｏｎ  Ｇｏｇｇｌｅ）１０７は、赤外光を可視光に変換する暗視ゴーグル（暗視装置）である。ユーザ１０６は、暗視ゴーグル１０７を使用（装着）することにより、ＩＲ画像を間接的に視認することができる。
【００２７】
本実施例に係る表示システムでは、昼間を想定した訓練のために、明るいＲＧＢ画像が表示される。ユーザ１０６は、暗視ゴーグル１０７を用いずにＲＧＢ画像を視認しながら、昼間を想定した訓練を行うことができる。さらに、本実施例に係る表示システムでは、夜間を想定した訓練のために、ＩＲ画像が表示される。ユーザ１０６は、暗視ゴーグル１０７を用いてＩＲ画像を視認しながら、夜間を想定した訓練を行うことができる。夜間を想定した訓練時には、黒色のＲＧＢ画像、黒色に近いＲＧＢ画像、等がさらに表示される。夜間を想定した訓練時にＲＧＢ画像が表示されなくてもよい。
【００２８】
なお、本実施例では、可視光成分と不可視光成分を含む画像として、ＲＧＢ画像とＩＲ画像とが使用される例を説明するが、これに限られない。例えば、可視光成分と不可視光成分を含む１つの画像が使用されてもよい。
【００２９】
夜間訓練での投影画像１０５の一例を、図２（Ａ），２（Ｂ）を用いて説明する。図２（Ａ）の投影画像１０５Ｖ１は、ユーザ１０６が肉眼で視認する投影画像１０５であり、ＲＧＢ画像である。ＲＧＢ画像１０５Ｖ１は、夜間の屋外の風景を表す画像であり、ＲＧＢ画像１０５Ｖ１には、家屋のオブジェクト２００Ｖが描かれている。オブジェクト２００Ｖの内部に人物像（破線）が描かれているが、オブジェクト２００Ｖは非常に暗いため、人物像の視認は不可能または困難である。図２（Ｂ）の投影画像１０５ＩＲ１は、ユー
ザ１０６が暗視ゴーグル１０７を用いて視認する投影画像１０５であり、ＩＲ画像である。ＲＧＢ画像１０５Ｖ１とＩＲ画像１０５ＩＲ１は互いに対応しており、暗視ゴーグル１０７の使用に応じて、ユーザ１０６が視認する投影画像１０５が、ＲＧＢ画像１０５Ｖ１からＩＲ画像１０５ＩＲ１へ切り替わる。ＲＧＢ画像１０５Ｖ１に描かれていない又は低輝度で描かれた物体がＩＲ画像１０５ＩＲ１に描かれている場合には、暗視ゴーグル１０７の使用により、当該物体が視認可能となる。オブジェクト２００ＩＲは、ＲＧＢ画像１０５Ｖ１のオブジェクト２００Ｖに対応する。図２（Ｂ）に示すように、ユーザ１０６は、暗視ゴーグル１０７を用いることにより、オブジェクト２００ＩＲの内部に描かれた人物像をはっきりと視認することができる。このように、夜間訓練ではＲＧＢ画像とＩＲ画像が使用される。
【００３０】
（液晶プロジェクタの構成）
図３は、液晶プロジェクタ１００の構成例を示すブロック図である。液晶プロジェクタ１００はバス３００を有し、液晶プロジェクタ１００が有する複数の機能部の間におけるデータの送受信は、バス３００を介して行われる。
【００３１】
ＣＰＵ３０１は、液晶プロジェクタ１００の各機能部の処理を制御する。ＲＯＭ３０２は、各種データを予め記憶する。例えば、ＲＯＭ３０２には、ＣＰＵ３０１の処理手順が記述された制御プログラムが予め記録される。ＲＡＭ３０３は、各種データを一時的に記憶するワークメモリである。
【００３２】
操作部３０４は、ユーザ１０６などからの指示（ユーザ操作）を受け付ける受付部である。そして、操作部３０４は、ユーザ１０６からの指示に応じた指示信号をＣＰＵ３０１へ送信する。操作部３０４は、スイッチ、ダイヤル、表示部３１９上に設けられたタッチパネル、等である。操作部３０４は、リモートコントローラからの信号を受信し、受信した信号に応じた指示信号をＣＰＵ３０１へ送信してもよい。ＣＰＵ３０１は、操作部３０４からの指示信号に応じて、液晶プロジェクタ１００の各機能部の処理を制御する。
【００３３】
ＲＧＢ画像入力部３０５は、ビデオケーブル１０２を介してパーソナルコンピュータ１０１からＲＧＢ画像データを受信し、受信したＲＧＢ画像データを画像処理部３０７へ送信する。ＲＧＢ画像入力部３０５がＲＧＢ画像データとしてアナログ画像信号を受信した場合には、ＲＧＢ画像入力部３０５は、受信したアナログ画像信号をデジタル画像信号へ変換し、デジタル画像信号であるＲＧＢ画像データを画像処理部３０７へ送信する。
【００３４】
ＩＲ画像入力部３０６は、ビデオケーブル１０３を介してパーソナルコンピュータ１０１からＩＲ画像データを受信し、受信したＩＲ画像データを画像処理部３０７へ送信する。ＩＲ画像入力部３０６がＩＲ画像データとしてアナログ画像信号を受信した場合には、ＩＲ画像入力部３０６は、受信したアナログ画像信号をデジタル画像信号へ変換し、デジタル画像信号であるＩＲ画像データを画像処理部３０７へ送信する。
【００３５】
ＲＧＢ画像入力部３０５とＩＲ画像入力部３０６のそれぞれは、コンポジット端子、Ｓ端子、Ｄ端子、コンポーネント端子、アナログＲＧＢ端子、ＤＶＩ−Ｉ端子、ＤＶＩ−Ｄ端子、ＨＤＭＩ（登録商標）端子，ＤｉｓｐｌａｙＰｏｒｔ（登録商標）、等である。なお、ＲＧＢ画像入力部３０５とＩＲ画像入力部３０６のそれぞれは、パーソナルコンピュータ１０１から無線で画像データを受信してもよい。
【００３６】
本実施例において、画像データ（ＲＧＢ画像データ、ＩＲ画像データ、等）は、１つ以上のフレームを含む。１フレームの画像は複数の画素からなり、１フレームの画像データは各画素の階調値（例えば０〜２５５）を示す。
【００３７】
画像処理部３０７は、ＲＧＢ画像入力部３０５から受信したＲＧＢ画像データ、ＩＲ画像入力部３０６から受信したＩＲ画像データ、等に画像処理を施し、画像処理が施された後の画像データを液晶制御部３０８へ送信する。画像処理部３０７は、１つ以上のマイクロプロセッサ、１つ以上の論理回路からなるＡＳＩＣ、等によって構成される。なお、ＲＯＭ３０２に記憶されたプログラムをＣＰＵ３０１が実行することにより、画像処理部３０７の機能が実現されてもよい。
【００３８】
画像処理部３０７は、上記画像処理として、フレーム数を変更する処理（フレーム間引き処理、フレーム補間処理、等）、画素数を変更する処理（解像度変換処理）、等を行ことができる。画像処理部３０７は、上記画像処理として、画像の形状を変更する処理（幾何学補正処理；キーストン補正処理、曲面補正処理、等）、画像を合成する処理（画像合成処理）、等を行うこともできる。画像処理部３０７は、階調値を変更する処理（階調変換処理；パネル補正処理；ゲイン補正処理、オフセット補正処理、ガンマ補正処理、等）を行うこともできる。
【００３９】
画像合成処理は、ＲＧＢ画像入力部３０５、ＩＲ画像入力部３０６、等から受信した画像データに基づく画像に、ＣＰＵ３０１によって生成された画像データに基づく画像が重ねられるように、それらの画像データを合成するＯＳＤ合成処理である。画像合成処理により、液晶プロジェクタ１００に対する設定のためのメニュー画像を他の画像に重ねて表示することが可能となる。
【００４０】
なお、画像処理部３０７は、様々な画像データを受信することができ、様々な画像データに画像処理を施すことができ、様々な画像データを液晶制御部３０８へ送信することができる。例えば、画像処理部３０７は、ＣＰＵ３０１によって生成された画像データに画像処理を施し、画像処理が施された後の画像データを液晶制御部３０８へ送信することができる。
【００４１】
画像合成処理はＯＳＤ合成処理に限られない。例えば、画像が他の画像に重ねられずに複数の画像データに基づく複数の画像が所定方向に並べられるように当該複数の画像データを合成する処理が、画像合成処理として行われてもよい。画像合成処理が行われずに、メニュー画像が単独で表示されてもよい。
【００４２】
液晶制御部３０８は、画像処理部３０７から受信した画像データに基づいて液晶素子３０９Ｒ，３０９Ｇ，３０９Ｂ，３０９ＩＲに印可する電圧を制御することにより、液晶素子３０９Ｒ，３０９Ｇ，３０９Ｂ，３０９ＩＲの透過率を制御する。例えば、液晶制御部３０８は、画像処理部３０７から受信した画像データの各フレームについて、フレームに対応する透過率へ、液晶素子３０９Ｒ，３０９Ｇ，３０９Ｂ，３０９ＩＲの透過率を制御する。液晶制御部３０８は、１つ以上のマイクロプロセッサ、１つ以上の論理回路からなるＡＳＩＣ、等によって構成される。なお、ＲＯＭ３０２に記憶されたプログラムをＣＰＵ３０１が実行することにより、液晶制御部３０８の機能が実現されてもよい。
【００４３】
液晶素子３０９Ｒは、可視光源３１１から出力された可視光から色分離部３１３によって得られた赤色光を透過する。液晶素子３０９Ｇは、可視光源３１１から出力された可視光から色分離部３１３によって得られた緑色光を透過する。液晶素子３０９Ｂは、可視光源３１１から出力された可視光から色分離部３１３によって得られた青色光を透過する。液晶素子３０９ＩＲは、赤外光源３１２から出力された赤外光を透過する。
【００４４】
光源制御部３１０は、可視光源３１１の駆動状態（点灯／消灯）、赤外光源３１２の駆動状態、可視光源３１１の発光量、赤外光源３１２の発光量、等を制御する。光源制御部３１０は、１つ以上のマイクロプロセッサ、１つ以上の論理回路からなるＡＳＩＣ、等に
よって構成される。なお、ＲＯＭ３０２に記憶されたプログラムをＣＰＵ３０１が実行することにより、光源制御部３１０の機能が実現されてもよい。
【００４５】
可視光源３１１は、ＲＧＢ画像を表示するための可視光を出力する。本実施例では、可視光源３１１は、赤色光成分、緑色光成分、及び、青色光成分を含む可視光を出力する。赤外光源３１２は、ＩＲ画像を表示するための赤外光を出力する。可視光源３１１と赤外光源３１２のそれぞれは、ハロゲンランプ、キセノンランプ、高圧水銀ランプ、ＬＥＤ（発光ダイオード）、レーザーダイオード、等である。可視光源３１１と赤外光源３１２のそれぞれは、レーザーダイオードと、レーザーダイオードから出力された光によって励起が引き起こされる蛍光体とを有する光源であってもよい。この光源では、上記励起により、レーザーダイオードから出力された光の波長が変換される。可視光源３１１と赤外光源３１２の両方を兼ねた１つの光源が使用されてもよい。その場合には、光源から発せられた光が、色分離部３１３によって、可視光と赤外光に分離されればよい。
【００４６】
色分離部３１３は、可視光源３１１から出力された可視光を、赤色光、緑色光、及び、青色光に分離する。例えば、色分離部３１３は、ダイクロイックミラー、プリズム、等からなる。なお、赤色光を発する光源、緑色光を発する光源、及び、青色光を発する光源が可視光源３１１として使用される場合には、液晶プロジェクタ１００は色分離部３１３を有していなくてもよい。
【００４７】
色合成部３１４は、液晶素子３０９Ｒを透過した赤色光、液晶素子３０９Ｇを透過した緑色光、液晶素子３０９Ｂを透過した青色光、及び、液晶素子３０９ＩＲを透過した赤外光を合成する。例えば、色合成部３１４は、ダイクロイックミラー、プリズム、等からなる。色合成部２１３による合成後の光（合成光）は、投影光学系３１６に送られる。
【００４８】
投影光学系３１６は、色合成部３１４から出力された合成光をスクリーン１０４に投影する。上述したように、液晶素子３０９Ｒ，３０９Ｇ，３０９Ｂ，３０９ＩＲの透過率は、画像処理部３０７から送信された画像データに基づいて制御される。そのため、画像処理部３０７から送信された画像データに基づく合成光がスクリーン１０４に投影される。その結果、画像処理部３０７から送信された画像データに基づく画像（ＲＧＢ画像、ＩＲ画像、等）が投影画像１０５としてスクリーン１０４に表示される。例えば、投影光学系３１６は、複数のレンズ、アクチュエータ、等からなる。投影光学系３１６のアクチュエータが投影光学系３１６のレンズを駆動することにより、投影画像１０５の拡大、縮小、焦点調整、レンズシフト、等を行うことができる。
【００４９】
光学系制御部３１５は、投影光学系３１６の状態を制御する。例えば、光学系制御部３１５は、アクチュエータの処理を制御することによりレンズの状態を制御する。光学系制御部３１５は、１つ以上のマイクロプロセッサ、１つ以上の論理回路からなるＡＳＩＣ、等によって構成される。なお、ＲＯＭ３０２に記憶されたプログラムをＣＰＵ３０１が実行することにより、光学系制御部３１５の機能が実現されてもよい。
【００５０】
通信部３１７は、無線または有線で外部機器との通信を行うことにより、外部機器から制御信号を受信したり、外部機器から画像データ（ＲＧＢ画像データ、ＩＲ画像データ、等）を受信したりすることができる。通信部３１７は、受信した制御信号や画像データをＣＰＵ３０１へ送信する。ＣＰＵ３０１は、通信部３１７からの制御信号に応じて、液晶プロジェクタ１００の各機能部の処理を制御する。ＣＰＵ３１０は、外部装置から通信部３１７を介して受信した画像データに基づく画像が表示されるように、当該画像データを画像処理部３０７へ送信することもできる。
【００５１】
通信部３１７が通信を行う外部機器は、例えば、パーソナルコンピュータ、デジタルカ
メラ、携帯電話、スマートフォン、ブルーレイプレーヤ、ハードディスクレコーダ、ゲーム機、フラッシュメモリ、リモートコントローラ、等である。通信部３１７は、ＬＡＮ端子、ＵＳＢ端子、無線ＬＡＮユニット、Ｂｌｕｅｔｏｏｔｈ（登録商標）ユニット、等である。通信部３１７の通信方式は特に限定されない。外部機器は、パーソナルコンピュータ１０１であってもよい。ＲＧＢ画像入力部３０５の端子、ＩＲ画像入力部３０６の端子、等がＨＤＭＩ（登録商標）端子である場合には、通信部３１７は、それらの端子を介してパーソナルコンピュータ１０１とのＣＥＣ通信を行ってもよい。外部機器は、暗視ゴーグル１０７であってもよい。ＣＰＵ３１０は、暗視ゴーグル１０７から通信部３１７を介して、暗視ゴーグル１０７に関する情報（暗視ゴーグル１０７の型番、暗視ゴーグル１０７の感度特性情報、等）を受信してもよい。暗視ゴーグル１０７の感度特性情報は、光の波長と、暗視ゴーグル１０７が光を検知する感度との対応関係（感度特性）を表す。
【００５２】
表示制御部３１８は、液晶プロジェクタ１００に対する操作のための画像（操作画面、スイッチ、アイコン、等）などを表示部３１９に表示する表示制御を行う。表示制御部３１８は、１つ以上のマイクロプロセッサ、１つ以上の論理回路からなるＡＳＩＣ、等によって構成される。なお、ＲＯＭ３０２に記憶されたプログラムをＣＰＵ３０１が実行することにより、表示制御部３１８の機能が実現されてもよい。
【００５３】
表示部３１９は、液晶プロジェクタ１００に対する操作のための画像などを表示する。表示部３１９は、液晶表示部、ＣＲＴ表示部、有機ＥＬ表示部、ＬＥＤ表示部、ＬＥＤ、それらのうちの２つ以上の組み合わせ、等である。
【００５４】
（暗視ゴーグルの構成）
図４は、暗視ゴーグル１０７の構成例を示すブロック図である。対物レンズ４００は、スクリーン１０４で反射した光を像変換部４０１へ導く。像変換部４０１は、対物レンズ４００からの光を変換し、変換後の光を接眼レンズ４０２へ導く。例えば、像変換部４０１は、光増倍管などから構成され、入射した光の強度を光増倍管を用いて増幅する。さらに、像変換部４０１は、赤外光を可視光に変換する。像変換部４０１は、接眼レンズ４０２を介してユーザ１０６が正立像を視認することができるように、変換後の光によって形成される像を反転する光学系を有していてもよい。この光学系では、例えば、プリズム、光ファイバ、等が使用される。接眼レンズ４０２は、像変換部４０１からの光を、暗視ゴーグル１０７を装着しているユーザ１０６の目に導く。ユーザ１０６は、像変換部４０１からの光によって形成される像（ＩＲ画像を変換して得られる可視光画像）を、接眼レンズ４０２を介して視認することができる。
【００５５】
電源部４０３は、像変換部４０１に電力を供給する回路である。制御部４０４は、暗視ゴーグル１０７の各機能部の処理を制御するマイクロコンピュータである。通信部４０５は、無線または有線で外部機器と通信を行うインタフェースである。例えば、制御部４０４は、通信部４０５を介して液晶プロジェクタ１００へ、暗視ゴーグル１０７に関する情報（暗視ゴーグル１０７の型番、暗視ゴーグル１０７の感度特性情報、等）を送信する。通信部４０５は、Ｅｔｈｅｒｎｅｔ（登録商標）、無線ＬＡＮ、Ｂｌｕｅｔｏｏｔｈ（登録商標）、等の通信方式に対応する通信回路を用いて構成される。なお、通信部４０５の通信方式は特に限定されない。記憶部４０６は、制御部４０４からの指示に従い、データの記憶、データの読み出し、等を行う不揮発性メモリである。
【００５６】
操作部４０７は、ユーザ１０６からの指示（ユーザ操作）を受け付ける。例えば、操作部４０７は、暗視ゴーグル１０７の使用開始を指示するユーザ操作、暗視ゴーグル１０７の使用終了を指示するユーザ操作、等を受け付ける。そして、操作部４０７は、ユーザ１０６からの指示に応じた指示信号を制御部４０４へ送信する。操作部４０７は、ボタンなどである。制御部４０４は、操作部４０７からの指示信号に応じて、暗視ゴーグル１０７
の各機能部の処理を制御する。例えば、暗視ゴーグル１０７の使用開始が指示された場合に、制御部４０４は、像変換部４０１への電源供給が開始されるように、電源部４０３の処理を制御する。それにより、暗視ゴーグル１０７の状態が、暗視ゴーグル１０７を使用可能な状態となり、ユーザ１０６は、暗視ゴーグル１０７を用いて赤外光を間接的に視認可能となる。また、暗視ゴーグル１０７の使用終了が指示された場合に、制御部４０４は、像変換部４０１への電源供給が終了（停止）されるように、電源部４０３の処理を制御する。それにより、暗視ゴーグル１０７の状態が、暗視ゴーグル１０７を使用不可能な状態となる。
【００５７】
（パーソナルコンピュータの構成）
図５は、パーソナルコンピュータ１０１の構成例を示すブロック図である。パーソナルコンピュータ１０１はバス５０８を有し、パーソナルコンピュータ１０１が有する複数の機能部の間におけるデータの送受信は、バス５０８を介して行われる。ＣＰＵ５０２は、パーソナルコンピュータ１０１の各機能部の処理を制御する。
【００５８】
画像出力部５００ａ，５００ｂのそれぞれは、ＣＰＵ５０２からの指示に従い、画像データを受信し、受信した画像データを外部機器に出力する。本実施例では、画像出力部５００ａは、ビデオケーブル１０２を介して液晶プロジェクタ１００に、ＲＧＢ画像データを出力する。画像出力部５００ｂは、ビデオケーブル１０３を介して液晶プロジェクタ１００に、ＩＲ画像データを出力する。
【００５９】
通信部５０１は、無線または有線で外部機器との通信を行う。通信部５０１は、ＬＡＮ端子、ＵＳＢ端子、無線ＬＡＮユニット、Ｂｌｕｅｔｏｏｔｈ（登録商標）ユニット、等である。通信部５０１の通信方式は特に限定されない。画像出力部５００ａ，５００ｂの端子がＨＤＭＩ（登録商標）端子である場合には、通信部５０１は、それらの端子を介して液晶プロジェクタ１００とのＣＥＣ通信を行ってもよい。
【００６０】
ＲＡＭ５０３は、各種データを一時的に記憶する揮発性メモリである。ＲＡＭ５０３は、ＣＰＵ５０２の処理のためのワークメモリとして使用される。ＲＡＭ５０３は、画像信号出力部５００ａ，５００ｂより、画像データの出力のためのフレームバッファとしても使用される。
【００６１】
ハードディスク５０４は、様々なデータを記憶する。例えば、ハードディスク５０４には、ＣＰＵ５０２の処理のためのＯＳ（Ｏｐｅｒａｔｉｎｇ  Ｓｙｓｔｅｍ）、アプリケーションのプログラムコード、それらを実行する際に用いられるデータ、マルチメディアコンテンツ、等が記録される。
【００６２】
ＵＳＢインターフェース５０５は、様々な周辺機器をパーソナルコンピュータ１０１に接続するために用いられる。例えば、ユーザ操作のためのマウスやキーボードが、ＵＳＢインターフェース５０５に接続される。
【００６３】
画像出力部５０６は、ＣＰＵ５０２からの指示に従い、画像データを受信し、受信した画像データを外部機器に出力する。本実施例では、画像出力部５０６は、パーソナルコンピュータ１０１に対するユーザ操作のための画像を表示するモニタに、画像データを出力する。
【００６４】
画像処理部５０７は、ＲＧＢ画像データとＩＲ画像データのそれぞれを受信し、受信した画像データに画像処理を施し、画像処理後の画像データを出力する。画像処理部５０７は、画像処理後のＲＧＢ画像データを画像出力部５００ａに出力し、画像処理後のＩＲ画像データを画像出力部５００ｂに出力する。
【００６５】
パーソナルコンピュータ１０１の処理フロー例について説明する。不図示の電源ケーブルを用いて、パーソナルコンピュータ１０１に電力（ＡＣ電源）が供給され、不図示の電源スイッチの状態がオン状態になると、パーソナルコンピュータ１０１の各機能部に電力が供給され、ＣＰＵ５０２が起動する。そして、ＣＰＵ５０２は、ハードディスク５０４に格納されているプログラムコードに従い、ＯＳを起動し、各種サービスやアプリケーションを起動する。
【００６６】
ハードディスク５０４には、画像データを液晶プロジェクタ１００に出力するためのアプリケーション（画像出力アプリケーション）のプログラムコード、当該アプリケーションの実行に必要なデータが格納されている。ＣＰＵ５０２は、パーソナルコンピュータ１０１に対するユーザ操作に応じて、画像出力アプリケーションを起動する。また、ハードディスク５０４には、ＩＲ画像データとＲＧＢ画像データが格納されている。
【００６７】
画像出力アプリケーションが起動すると、ＣＰＵ５０２は、ＩＲ画像データとＲＧＢ画像データをハードディスク５０４から読み出す。そして、ＣＰＵ５０２は、読み出したＲＧＢ画像データを画像出力部５００ａに送信し、読み出したＩＲ画像データを画像信号出力部５００ｂに送信する。画像出力部５００ａは、ＣＰＵ５０２から送信されたＲＧＢ画像データを、液晶プロジェクタ１００へ送信する。画像出力部５００ｂは、ＣＰＵ５０２から送信されたＩＲ画像データを、液晶プロジェクタ１００へ送信する。
【００６８】
なお、画像処理部５０７がＲＧＢ画像データとＩＲ画像データの少なくとも一方に画像処理を施し、画像処理後の画像データが液晶プロジェクタ１００に送信されてもよい。また、ＲＧＢ画像データとＩＲ画像データの取得は、ハードディスク５０４からの読み出しに限られない。例えば、ＣＰＵ５０２が、ハードディスク５０４に格納された３Ｄデータ等に基づいてレンダリングを行うことにより、ＲＧＢ画像データとＩＲ画像データを生成してもよい。ＣＰＵ５０２が、通信部５０１を介して外部のサーバ等からＲＧＢ画像データとＩＲ画像データを受信してもよい。
【００６９】
（液晶プロジェクタの処理フロー）
図６は、液晶プロジェクタ１００の処理フロー例を示すフローチャートである。不図示の電源ケーブルを用いて、液晶プロジェクタ１００に電力（ＡＣ電源）が供給されると、ＣＰＵ３０１、ＲＯＭ３０２、ＲＡＭ３０３、操作部３０４、及び、通信部３１７に電力が供給される。これにより、ＣＰＵ３０１は起動し、液晶プロジェクタ１００の状態が待機状態となる。ＣＰＵ３０１は、操作部３０４から出力される指示信号、または、通信部３１７から出力される制御信号を監視することによって、投影開始の指示を検出することができる。待機状態においてＣＰＵ３０１が投影開始の指示を検出すると、図６の処理フローが開始される。
【００７０】
まず、Ｓ１００にて、ＣＰＵ３０１は、液晶プロジェクタ１００の各機能部の起動処理を行う。具体的には、ＣＰＵ３０１は、各機能部に電力を供給するように制御を行い、各機能部が動作可能となるように設定を行う。ＣＰＵ３０１は、可視光源３１１と赤外光源３１２が点灯するように光源制御部３１０の処理を制御する。ＣＰＵ３０１は、不図示の冷却ファンを駆動する。その結果、ＲＧＢ画像入力部３０５に入力されたＲＧＢ画像データに基づくＲＧＢ画像が、液晶素子３０９Ｒ，３０９Ｇ，３０９Ｂによって形成される。そして、液晶素子３０９Ｒ，３０９Ｇ，３０９Ｂを透過した可視光がスクリーン１０４に投影され、ＲＧＢ画像が投影画像１０５としてスクリーン１０４に表示される。同様に、ＩＲ画像入力部３０６に入力されたＩＲ画像データに基づくＩＲ画像が、液晶素子３０９ＩＲによって形成される。そして、液晶素子３０９ＩＲを透過した赤外光がスクリーン１０４に投影され、ＩＲ画像が投影画像１０５としてスクリーン１０４に表示される。
【００７１】
次に、Ｓ１０１にて、ＣＰＵ３０１は、操作部３０４を用いたユーザ操作を検出する。ユーザ操作が検出されるまで、Ｓ１０１の処理が繰り返される。メニュー画像に関するユーザ操作（メニュー操作）が検出されると、Ｓ１０２に処理が進められ、液晶プロジェクタ１００の使用終了を指示するユーザ操作（終了操作）が検出されると、Ｓ１０７に処理が進められる。Ｓ１０７にて、ＣＰＵ３０１は、液晶プロジェクタ１００の終了処理を行う（シャットダウン）。具体的には、ＣＰＵ３０１は、可視光源３１１と赤外光源３１２が消灯するように光源制御部３１０の処理を制御し、各機能部への電力供給を終了（停止）するように制御を行う。これにより、液晶プロジェクタ１００の状態が待機状態に戻り、図６の処理フローが終了する。
【００７２】
Ｓ１０２にて、ＣＰＵ３０１は、Ｓ１０１で検出したメニュー操作に応じた処理を行う。具体的には、ＣＰＵ３０１は、メニュー画像を生成したり更新したりする。そして、ＣＰＵ３０１は、現在の投影画像１０５にメニュー画像が重ねて表示されたり、表示されたメニュー画像が更新されたり、表示されたメニュー画像が消去されたりするように、画像処理部３０７の処理を制御する。
【００７３】
メニュー画像の表示例について説明する。ここで、メニュー画像が表示されていない状態でメニュー表示操作が行われた場合を考える。メニュー表示操作は、メニュー画像の表示を指示するユーザ操作である。この場合には、ＣＰＵ３０１は、メニュー画像を生成し、メニュー画像が表示されるように画像処理部３０７の処理を制御する。本実施例では、メニュー画像として、可視光成分と赤外光成分を含むメニュー画像が生成されて表示される。具体的には、メニュー画像として、ＲＧＢ画像とＩＲ画像が生成されて表示される。
【００７４】
図２（Ａ）の投影画像（ＲＧＢ画像）１０５Ｖ１と、図２（Ｂ）の投影画像（ＩＲ画像）１０５ＩＲ１とでは、メニュー画像は表示されていない。本実施例では、メニュー表示操作に応じて、ＲＧＢ画像１０５Ｖ１から図２（Ｃ）の投影画像１０５Ｖ２へ表示が切り替えられ、ＩＲ画像１０５ＩＲ１から図２（Ｄ）の投影画像１０５ＩＲ２へ表示が切り替えられる。投影画像１０５Ｖ２は、ユーザ１０６が肉眼で視認するＲＧＢ画像であり、投影画像１０５ＩＲ２は、ユーザ１０６が暗視ゴーグル１０７を用いて視認するＩＲ画像である。ＲＧＢ画像１０５Ｖ２では、ＲＧＢ画像１０５Ｖ１にメニュー画像２０１Ｖが重ねられており、ＩＲ画像１０５ＩＲ２では、ＩＲ画像１０５ＩＲ１にメニュー画像２０１ＩＲが重ねられている。メニュー画像２０１Ｖとメニュー画像２０１ＩＲは互いに対応しており、暗視ゴーグル１０７の使用に応じて、ユーザ１０６が視認するメニュー画像が、メニュー画像２０１Ｖからメニュー画像２０１ＩＲへ切り替わる。
【００７５】
次に、ＣＰＵ３０１によって生成されるメニュー画像の例について説明する。図７は、メニュー画像の一例を示す。図７のメニュー画像２０１は、投影画像１０５の画質を調整するためのユーザ操作で使用される。例えば、メニュー画像２０１は、ＲＧＢ画像入力部３０５によって取得されたＲＧＢ画像データに基づくＲＧＢ画像の画質、ＩＲ画像入力部３０６によって取得されたＩＲ画像データに基づくＩＲ画像の画質、等を調整するためのユーザ操作で使用される。画質の調整は、例えば、画像処理部３０７の画像処理、光源制御部３１０の光源制御、等により実現される。
【００７６】
メニュー画像２０１には、タイトル部７００、設定項目７０１〜７０９、及び、カーソル７１０が配置されている。タイトル部７００は、メニュー画像２０１のタイトルを示す部分である。図７では、タイトル部７００に「Ｍｅｎｕ」という文字列の画像が描かれている。カーソル７１０は、設定項目７０１〜設定項目７０９の何れかを選択するために使用される。
【００７７】
設定項目７０１は、赤色光成分を調整するための項目である。具体的には、設定項目７０１は、赤色光成分のゲイン補正処理で使用されるゲイン値を指定するための項目である。設定項目７０１は、項目名を示す文字列「Ｒ  ｇａｉｎ」、ゲイン値（図７の例では「５０」）、及び、ゲイン値のバー表示を行うインジケータを含む。
【００７８】
設定項目７０２は、緑色光成分を調整するための項目である。具体的には、設定項目７０２は、緑色光成分のゲイン補正処理で使用されるゲイン値を指定するための項目である。設定項目７０２は、項目名を示す文字列「Ｇ  ｇａｉｎ」、ゲイン値（図７の例では「５０」）、及び、ゲイン値のバー表示を行うインジケータを含む。
【００７９】
設定項目７０３は、青色光成分を調整するための項目である。具体的には、設定項目７０３は、青色光成分のゲイン補正処理で使用されるゲイン値を指定するための項目である。設定項目７０３は、項目名を示す文字列「Ｂ  ｇａｉｎ」、ゲイン値（図７の例では「５０」）、及び、ゲイン値のバー表示を行うインジケータを含む。
【００８０】
設定項目７０４は、赤外色光成分を調整するための項目である。具体的には、設定項目７０４は、赤外色光成分のゲイン補正処理で使用されるゲイン値を指定するための項目である。設定項目７０４は、項目名を示す文字列「ＩＲ  ｇａｉｎ」、ゲイン値（図７の例では「５０」）、及び、ゲイン値のバー表示を行うインジケータを含む。
【００８１】
設定項目７０５は、赤色光成分を調整するための項目である。具体的には、設定項目７０５は、赤色光成分のオフセット補正処理で使用されるオフセット値を指定するための項目である。設定項目７０５は、項目名を示す文字列「Ｒ  ｏｆｆｓｅｔ」、オフセット値（図７の例では「５０」）、及び、オフセット値のバー表示を行うインジケータを含む。
【００８２】
設定項目７０６は、緑色光成分を調整するための項目である。具体的には、設定項目７０６は、緑色光成分のオフセット補正処理で使用されるオフセット値を指定するための項目である。設定項目７０６は、項目名を示す文字列「Ｇ  ｏｆｆｓｅｔ」、オフセット値（図７の例では「５０」）、及び、オフセット値のバー表示を行うインジケータを含む。
【００８３】
設定項目７０７は、青色光成分を調整するための項目である。具体的には、設定項目７０７は、青色光成分のオフセット補正処理で使用されるオフセット値を指定するための項目である。設定項目７０７は、項目名を示す文字列「Ｂ  ｏｆｆｓｅｔ」、オフセット値（図７の例では「５０」）、及び、オフセット値のバー表示を行うインジケータを含む。
【００８４】
設定項目７０８は、赤外色光成分を調整するための項目である。具体的には、設定項目７０８は、赤外色光成分のオフセット補正処理で使用されるオフセット値を指定するための項目である。設定項目７０８は、項目名を示す文字列「ＩＲ  ｏｆｆｓｅｔ」、オフセット値（図７の例では「５０」）、及び、オフセット値のバー表示を行うインジケータを含む。
【００８５】
設定項目７０９は、他の既存処理に関するサブメニューの表示を指示するための項目である。設定項目７０９は、サブメニューが表示可能であることを示す文字列「＞＞」を含む。既存処理は、例えば、キーストン補正処理などである。
【００８６】
なお、設定項目７０１〜７０９は、文字列の代わりにアイコンを含んでいてもよい。設定項目７０１〜７０９は、文字列とアイコンの両方を含んでいてもよい。即ち、設定項目７０１〜７０９は、文字列とアイコンの少なくとも一方を含んでいてもよい。
【００８７】
設定項目７０１〜７０９のそれぞれは、図７の下部に示すように、前景に対応するＦＯ
ＲＥ領域と、背景に対応するＢＡＣＫ領域とからなる。例えば、ＦＯＲＥ領域は、文字列や数値の領域（グリフ領域）、アイコンの領域、線の領域、インジケータに含まれる矩形の領域、等であり、ＢＡＣＫ領域は、ＦＯＲＥ領域以外の領域である。
【００８８】
メニュー画像２０１の階調値について図８，９を用いて説明する。階調値は、スクリーン１０４上での輝度（表示輝度）に対応する。階調値と表示輝度の対応関係は特に限定されないが、本実施例では、階調値として、表示輝度の増加に対して線形に増加する値を使用する。
【００８９】
本実施例では、メニュー画像２０１の各部分が、「ＴＹＰＥ＿ＲＧＢ」、「ＴＹＰＥ＿ＩＲ」、及び、「ＴＹＰＥ＿ＢＯＴＨ」の３種類の表示タイプの何れかに分類される。ＣＰＵ３０１は、表示タイプに応じた階調値で各部分の画像を生成することにより、メニュー画像２０１を生成する。表示タイプ「ＴＹＰＥ＿ＲＧＢ」は、肉眼での視認時に高い視認性を持たせるべき部分のための表示タイプである。表示タイプ「ＴＹＰＥ＿ＩＲ」は、暗視ゴーグル１０７越しでの視認時に高い視認性を持たせるべき部分のための表示タイプである。表示タイプ「ＴＹＰＥ＿ＢＯＴＨ」は、肉眼での視認時と暗視ゴーグル１０７越しでの視認時との両方において高い視認性を持たせるべき部分のための表示タイプである。
【００９０】
図８は、メニュー画像２０１の各部分の表示タイプを示すテーブルである。部分と表示タイプの対応関係のパターンとして、様々なパターンが考えられる。図８には、３つのパターン１〜３が示されている。ここでは、パターン１について説明する。
【００９１】
タイトル部７００にはメニュー画像２０１のタイトルが示されるため、肉眼での視認時と暗視ゴーグル１０７越しでの視認時との両方においてタイトル部７００の視認性が高いことが望ましい。そのため、タイトル部７００に表示タイプ「ＴＹＰＥ＿ＢＯＴＨ」が対応付けられている。設定項目７０１〜７０３，７０５〜７０７は、可視光成分を調整するための項目であるため、肉眼での視認時に利用されることが多い。そのため、設定項目７０１〜７０３，７０５〜７０７に表示タイプ「ＴＹＰＥ＿ＲＧＢ」が対応付けられている。設定項目７０４，７０８は、赤外光成分を調整するための項目であるため、暗視ゴーグル１０７越しでの視認時に利用されることが多い。そのため、設定項目７０４，７０８に表示タイプ「ＴＹＰＥ＿ＩＲ」が対応付けられている。設定項目７０９に関するキーストン補正処理などは、可視光成分と赤外光成分との両方に共通した処理であるため、設定項目７０９は、肉眼での視認時と暗視ゴーグル１０７越しでの視認時との両方において利用されることが多い。そのため、設定項目７０９に表示タイプ「ＴＹＰＥ＿ＢＯＴＨ」が対応付けられている。カーソル７１０は、メニュー画像２０１を用いたユーザ操作において略間違いなく利用される。そのため、カーソル７１０に表示タイプ「ＴＹＰＥ＿ＢＯＴＨ」が対応付けられている。
【００９２】
ＣＰＵ３０１は、メニュー画像２０１の各部分について、肉眼で視認すべきか暗視ゴーグル１０７越しに視認すべきかを判断し、表示タイプを判断する。なお、製品出荷時などにおいて、各部分について肉眼で視認すべきか暗視ゴーグル１０７越しに視認すべきかを示すかを示す情報が予めＲＯＭ３０２に記録されてもよい。そして、ＣＰＵ３０１は、その情報に基づいて表示タイプを判断してもよい。製品出荷時などにおいて、各設定項目について調整対象の光成分を示す情報が予めＲＯＭ３０２に記録されてもよい。そして、ＣＰＵ３０１は、その情報と暗視ゴーグル１０７の特性とに基づいて、暗視ゴーグル１０７越しに視認可能な光成分を調整するための設定項目を、暗視ゴーグル１０７越しに視認すべき設定項目として判断してもよい。製品出荷時などにおいて、図８のテーブルがＲＯＭ３０２に予め記録されてもよい。そして、ＣＰＵ３０１は、そのテーブルに基づいて表示タイプを判断してもよい。
【００９３】
図９（Ａ）は、表示タイプ、ＦＯＲＥ領域の階調値、及び、ＢＡＣＫ領域の階調値の対応関係を示す。表示タイプ、ＦＯＲＥ領域の階調値、及び、ＢＡＣＫ領域の階調値の対応関係のケースとして、様々なケースが考えられる。図９（Ａ）には、３つのケース１〜３が示されている。ここでは、ケース１について説明する。図９（Ａ）のテーブル内に記載の数値は、階調値である。図９（Ａ）には、階調値として、ＲＧＢ成分（赤色光成分、緑色光成分、及び、青色光成分；可視光成分）に対応する値と、ＩＲ成分（赤外光成分）に対応する値とが示されている。
【００９４】
ＣＰＵ３０１は、表示タイプ「ＴＹＰＥ＿ＲＧＢ」（メニュー画像２０１の複数の部分のうちの、表示タイプ「ＴＹＰＥ＿ＲＧＢ」に対応する部分）の階調値として、以下の条件１を満たす値を使用する。
条件１：表示タイプ「ＴＹＰＥ＿ＲＧＢ」のＲＧＢ成分のコントラストが、表示タイプ「ＴＹＰＥ＿ＲＧＢ」のＩＲ成分のコントラストよりも高い。
【００９５】
例えば、ＣＰＵ３０１は、ＦＯＲＥ領域の階調値とＢＡＣＫ領域と階調値との差を変更したり、ＢＡＣＫ領域と階調値に対するＦＯＲＥ領域の階調値の比率を変更したりすることにより、コントラストを変える。
【００９６】
ケース１では、表示タイプ「ＴＹＰＥ＿ＲＧＢ」のＲＧＢ成分について、ＦＯＲＥ領域の階調値「１００」とＢＡＣＫ領域の階調値「５」との差の絶対値は「９５（＝｜１００−５｜）」である。そして、表示タイプ「ＴＹＰＥ＿ＲＧＢ」のＩＲ成分について、ＦＯＲＥ領域の階調値「５」とＢＡＣＫ領域の階調値「５」との差の絶対値は「０（＝｜５−５｜）」である。ＲＧＢ成分の差「９５」がＩＲ成分の差「０」よりも大きいことにより、条件１が満たされる。
【００９７】
また、ケース１では、表示タイプ「ＴＹＰＥ＿ＲＧＢ」のＲＧＢ成分について、ＢＡＣＫ領域の階調値「５」に対するＦＯＲＥ領域の階調値「１００」の比率は「２０（＝１００／５）」である。そして、表示タイプ「ＴＹＰＥ＿ＲＧＢ」のＩＲ成分について、ＢＡＣＫ領域の階調値「５」に対するＦＯＲＥ領域の階調値「５」の比率は「１（＝５／５）」である。ＲＧＢ成分の比率「２０」がＩＲ成分の比率「１」よりも大きいことによっても、条件１が満たされる。
【００９８】
ＣＰＵ３０１は、表示タイプ「ＴＹＰＥ＿ＩＲ」（メニュー画像２０１の複数の部分のうちの、表示タイプ「ＴＹＰＥ＿ＩＲ」に対応する部分）の階調値として、以下の条件２を満たす値を使用する。
条件２：表示タイプ「ＴＹＰＥ＿ＩＲ」のＩＲ成分のコントラストが、表示タイプ「ＴＹＰＥ＿ＩＲ」のＲＧＢ成分のコントラストよりも高い。
【００９９】
ケース１では、表示タイプ「ＴＹＰＥ＿ＩＲ」のＲＧＢ成分について、ＦＯＲＥ領域の階調値「５０」とＢＡＣＫ領域の階調値「５」との差の絶対値は「４５（＝｜５０−５｜）」である。そして、表示タイプ「ＴＹＰＥ＿ＩＲ」のＩＲ成分について、ＦＯＲＥ領域の階調値「１００」とＢＡＣＫ領域の階調値「５」との差の絶対値は「９５（＝｜１００−５｜）」である。ＩＲ成分の差「９５」がＲＧＢ成分の差「４５」よりも大きいことにより、条件２が満たされる。
【０１００】
また、ケース１では、表示タイプ「ＴＹＰＥ＿ＩＲ」のＲＧＢ成分について、ＢＡＣＫ領域の階調値「５」に対するＦＯＲＥ領域の階調値「５０」の比率は「１０（＝５０／５）」である。そして、表示タイプ「ＴＹＰＥ＿ＩＲ」のＩＲ成分について、ＢＡＣＫ領域の階調値「５」に対するＦＯＲＥ領域の階調値「１００」の比率は「２０（＝１００／５
）」である。ＩＲ成分の比率「２０」がＲＧＢ成分の比率「１０」よりも大きいことによっても、条件２が満たされる。
【０１０１】
ＣＰＵ３０１は、表示タイプ「ＴＹＰＥ＿ＢＯＴＨ」（メニュー画像２０１の複数の部分のうちの、表示タイプ「ＴＹＰＥ＿ＢＯＴＨ」に対応する部分）の階調値として、以下の条件３，４を満たす値を使用する。
条件３：表示タイプ「ＴＹＰＥ＿ＢＯＴＨ」のＲＧＢ成分のコントラストが、表示タイプ「ＴＹＰＥ＿ＩＲ」のＲＧＢ成分のコントラストよりも高い。
条件４：表示タイプ「ＴＹＰＥ＿ＢＯＴＨ」のＩＲ成分のコントラストが、表示タイプ「ＴＹＰＥ＿ＲＧＢ」のＩＲ成分のコントラストよりも高い。
【０１０２】
ケース１では、表示タイプ「ＴＹＰＥ＿ＢＯＴＨ」のＲＧＢ成分について、ＦＯＲＥ領域の階調値「１００」とＢＡＣＫ領域の階調値「５」との差の絶対値は「９５（＝｜１００−５｜）」である。そして、表示タイプ「ＴＹＰＥ＿ＩＲ」のＲＧＢ成分について、ＦＯＲＥ領域の階調値「５０」とＢＡＣＫ領域の階調値「５」との差の絶対値は「４５（＝｜５０−５｜）」である。表示タイプ「ＴＹＰＥ＿ＢＯＴＨ」の差「９５」が表示タイプ「ＴＹＰＥ＿ＩＲ」の差「４５」よりも大きいことにより、条件３が満たされる。
【０１０３】
また、ケース１では、表示タイプ「ＴＹＰＥ＿ＢＯＴＨ」のＲＧＢ成分について、ＢＡＣＫ領域の階調値「５」に対するＦＯＲＥ領域の階調値「１００」の比率は「２０（＝１００／５）」である。そして、表示タイプ「ＴＹＰＥ＿ＩＲ」のＲＧＢ成分について、ＢＡＣＫ領域の階調値「５」に対するＦＯＲＥ領域の階調値「５０」の比率は「１０（＝５０／５）」である。表示タイプ「ＴＹＰＥ＿ＢＯＴＨ」の比率「２０」が表示タイプ「ＴＹＰＥ＿ＩＲ」の比率「１０」よりも大きいことによっても、条件３が満たされる。
【０１０４】
ケース１では、表示タイプ「ＴＹＰＥ＿ＢＯＴＨ」のＩＲ成分について、ＦＯＲＥ領域の階調値「８０」とＢＡＣＫ領域の階調値「５」との差の絶対値は「７５（＝｜８０−５｜）」である。そして、表示タイプ「ＴＹＰＥ＿ＲＧＢ」のＩＲ成分について、ＦＯＲＥ領域の階調値「５」とＢＡＣＫ領域の階調値「５」との差の絶対値は「０（＝｜５−５｜）」である。表示タイプ「ＴＹＰＥ＿ＢＯＴＨ」の差「７５」が表示タイプ「ＴＹＰＥ＿ＲＧＢ」の差「０」よりも大きいことにより、条件４が満たされる。
【０１０５】
また、ケース１では、表示タイプ「ＴＹＰＥ＿ＢＯＴＨ」のＩＲ成分について、ＢＡＣＫ領域の階調値「５」に対するＦＯＲＥ領域の階調値「８０」の比率は「１６（＝８０／５）」である。そして、表示タイプ「ＴＹＰＥ＿ＲＧＢ」のＩＲ成分について、ＢＡＣＫ領域の階調値「５」に対するＦＯＲＥ領域の階調値「５」の比率は「１（＝５／５）」である。表示タイプ「ＴＹＰＥ＿ＢＯＴＨ」の比率「１６」が表示タイプ「ＴＹＰＥ＿ＲＧＢ」の比率「１」よりも大きいことによっても、条件４が満たされる。
【０１０６】
図９（Ｂ）は、表示タイプ、ＦＯＲＥ領域の輝度、及び、ＢＡＣＫ領域の輝度の対応関係を示す。図９（Ｂ）には、輝度として、肉眼で視認される輝度が示されている。図９（Ｂ）には、上述した３つのケース１〜３のそれぞれについて対応関係が示されている。ここでもケース１について説明する。図９（Ｂ）のテーブル内に記載の数値は、肉眼で視認される輝度である。
【０１０７】
上述したように、ケース１では、表示タイプ「ＴＹＰＥ＿ＲＧＢ」のＲＧＢ成分について、ＦＯＲＥ領域の階調値は「１００」であり、ＢＡＣＫ領域の階調値は「５」である。従って、表示タイプ「ＴＹＰＥ＿ＲＧＢ」のＦＯＲＥ領域について、肉眼で視認される輝度は「１００」となり、表示タイプ「ＴＹＰＥ＿ＲＧＢ」のＢＡＣＫ領域について、肉眼で視認される輝度は「５」となる。同様に、表示タイプ「ＴＹＰＥ＿ＩＲ」のＦＯＲＥ領
域について、肉眼で視認される輝度は「５０」となり、表示タイプ「ＴＹＰＥ＿ＩＲ」のＢＡＣＫ領域について、肉眼で視認される輝度は「５」となる。そして、表示タイプ「ＴＹＰＥ＿ＢＯＴＨ」のＦＯＲＥ領域について、肉眼で視認される輝度は「１００」となり、表示タイプ「ＴＹＰＥ＿ＢＯＴＨ」のＢＡＣＫ領域について、肉眼で視認される輝度は「５」となる。従って、肉眼での視認において、表示タイプ「ＴＹＰＥ＿ＲＧＢ」，「ＴＹＰＥ＿ＢＯＴＨ」は、表示タイプ「ＴＹＰＥ＿ＩＲ」に比べ高いコントラストで視認される。
【０１０８】
図９（Ｃ）は、表示タイプ、ＦＯＲＥ領域の輝度、及び、ＢＡＣＫ領域の輝度の対応関係を示す。図９（Ｃ）には、輝度として、暗視ゴーグル１０７越しに視認される輝度が示されている。図９（Ｃ）には、上述した３つのケース１〜３のそれぞれについて対応関係が示されている。ここでもケース１について説明する。図９（Ｃ）のテーブル内に記載の数値は、暗視ゴーグル１０７越しに視認される輝度である。
【０１０９】
暗視ゴーグル１０７越しに視認される輝度は、暗視ゴーグル１０７の感度特性に依存する。図１０（Ａ），１０（Ｂ）は、感度特性の一例を示す。図１０（Ａ）の横軸は波長を示し、図１０（Ａ）の縦軸は感度を示す。図１０（Ａ），１０（Ｂ）の感度は、所定の感度が「１」となるように正規化された相対値である。図１０（Ａ），１０（Ｂ）には、暗視ゴーグルＮＶＧ−Ａの感度特性と、暗視ゴーグルＮＶＧ−Ｂの感度特性とが示されている。
【０１１０】
図１０（Ａ）に示すように、暗視ゴーグルＮＶＧ−Ａの感度特性（破線）では、波長８００ｎｍ付近に感度「１．０」のピークがある。そして、暗視ゴーグルＮＶＧ−Ａの感度特性では、赤色光成分に相当する波長域の一部と、それよりも長波長側の波長域とにおいて、感度が「０．０」よりも高い。そのため、暗視ゴーグルＮＶＧ−Ａは、赤色光成分に相当する波長域の一部の光と、それよりも長波長側の波長域の光とに反応する。そして、図１０（Ａ）に示すように、暗視ゴーグルＮＶＧ−Ｂの感度特性（実線）では、波長６００ｎｍ付近に感度「０．６」弱のピークがある。そして、暗視ゴーグルＮＶＧ−Ｂの感度特性では、緑色光成分に相当する波長域と、それよりも長波長側の波長域とにおいて、感度が「０．０」よりも高い。そのため、暗視ゴーグルＮＶＧ−Ｂは、緑色光成分に相当する波長域の一部の光と、それよりも長波長側の波長域の光とに反応する。図１０（Ｂ）のテーブルは、液晶プロジェクタ１００から発せられる光の波長と、暗視ゴーグルＮＶＧ−Ａ，ＮＶＧ−Ｂの感度との対応関係を示す。
【０１１１】
図９（Ｃ）のケース１の輝度は、暗視ゴーグルＮＶＧ−Ａ越しに視認される輝度である。上述したように、ケース１では、表示タイプ「ＴＹＰＥ＿ＲＧＢ」のＲＧＢ成分について、ＦＯＲＥ領域の階調値は「１００」であり、ＢＡＣＫ領域の階調値は「５」である。そして、表示タイプ「ＴＹＰＥ＿ＲＧＢ」のＩＲ成分について、ＦＯＲＥ領域の階調値は「５」であり、ＢＡＣＫ領域の階調値も「５」である。また、図１０（Ｂ）に示すように、暗視ゴーグルＮＶＧ−Ａでは、青色光成分に対する感度が「０．００」であり、緑色光成分に対する感度が「０．００」であり、赤色光成分に対する感度が「０．４０」である。そして、赤外光成分（ＩＲ成分）に対する感度が「１．００」である。暗視ゴーグル１０７越しに視認される輝度は、各光成分について階調値に感度を乗算することによって得られた複数の乗算値の総和である。従って、表示タイプ「ＴＹＰＥ＿ＲＧＢ」のＦＯＲＥ領域について、暗視ゴーグルＮＶＧ−Ａ越しに視認される輝度は「４５（＝１００×０．００＋１００×０．００＋１００×０．４０＋５×１．００）」となる。そして、表示タイプ「ＴＹＰＥ＿ＲＧＢ」のＢＡＣＫ領域について、暗視ゴーグルＮＶＧ−Ａ越しに視認される輝度は「７（＝５×０．００＋５×０．００＋５×０．４０＋５×１．００）」となる。
【０１１２】
同様に、表示タイプ「ＴＹＰＥ＿ＩＲ」のＦＯＲＥ領域について、暗視ゴーグルＮＶＧ−Ａ越しに視認される輝度は「１２０」となる。表示タイプ「ＴＹＰＥ＿ＩＲ」のＢＡＣＫ領域について、暗視ゴーグルＮＶＧ−Ａ越しに視認される輝度は「７」となる。表示タイプ「ＴＹＰＥ＿ＢＯＴＨ」のＦＯＲＥ領域について、暗視ゴーグルＮＶＧ−Ａ越しに視認される輝度は「１２０」となる。そして、表示タイプ「ＴＹＰＥ＿ＢＯＴＨ」のＢＡＣＫ領域について、暗視ゴーグルＮＶＧ−Ａ越しに視認される輝度は「７」となる。
【０１１３】
従って、暗視ゴーグルＮＶＧ−Ａ越しの視認において、表示タイプ「ＴＹＰＥ＿ＩＲ」，「ＴＹＰＥ＿ＢＯＴＨ」は、表示タイプ「ＴＹＰＥ＿ＲＧＢ」に比べ高いコントラストで視認される。
【０１１４】
図１１（Ａ）は、ユーザ１０６が肉眼で視認するメニュー画像２０１Ｖａを示す。メニュー画像２０１Ｖａはケース１に対応する。メニュー画像２０１Ｖａの部分７００Ｖａ〜７１０Ｖａは、図７の部分７００〜７１０にそれぞれ対応する。なお、図１１（Ａ）では、投影での白色が黒色で示され、投影での黒色が白色で示されている。図１１（Ａ）から分かるように、表示タイプ「ＴＹＰＥ＿ＢＯＴＨ」に対応付けられたタイトル部７００Ｖａ、設定項目７０９Ｖａ、及び、カーソル７１０Ｖａは、高いコントラストで視認される。表示タイプ「ＴＹＰＥ＿ＲＧＢ」に対応付けられた設定項目７０１Ｖａ〜７０３Ｖａ，７０５Ｖａ〜７０７Ｖａも、高いコントラストで視認される。一方、表示タイプ「ＴＹＰＥ＿ＩＲ」に対応付けられた設定項目７０４Ｖａ，７０８Ｖａは、薄く（暗く）表示され、低いコントラストで視認される。
【０１１５】
図１２（Ａ）は、ユーザ１０６が暗視ゴーグルＮＶＧ−Ａ越しに視認するメニュー画像２０１ＩＲａを示す。メニュー画像２０１ＩＲａはケース１に対応する。メニュー画像２０１ＩＲａの部分７００ＩＲａ〜７１０ＩＲａは、図７の部分７００〜７１０にそれぞれ対応する。なお、図１２（Ａ）では、投影での白色が黒色で示され、投影での黒色が白色で示されている。図１２（Ａ）から分かるように、表示タイプ「ＴＹＰＥ＿ＢＯＴＨ」に対応付けられたタイトル部７００ＩＲａ、設定項目７０９ＩＲａ、及び、カーソル７１０ＩＲａは、高いコントラストで視認される。表示タイプ「ＴＹＰＥ＿ＩＲ」に対応付けられた設定項目７０４ＩＲａ，７０８ＩＲａも、高いコントラストで視認される。一方、表示タイプ「ＴＹＰＥ＿ＲＧＢ」に対応付けられた設定項目７０１ＩＲａ〜７０３ＩＲａ，７０５ＩＲａ〜７０７ＩＲａは、薄く（暗く）表示され、低いコントラストで視認される。
【０１１６】
図６の説明に戻る。まず、Ｓ１０２の処理について、より詳細に説明する。メニュー表示操作が行われた場合には、ＣＰＵ３０１は、メニュー画像２０１を生成し、生成したメニュー画像２０１が表示されるように画像処理部３０７の処理を制御する。メニュー消去操作が行われた場合には、ＣＰＵ３０１は、メニュー画像２０１がスクリーン１０４から消去されるように画像処理部３０７の処理を制御する。メニュー消去操作は、メニュー画像２０１の消去を指示するユーザ操作である。カーソル移動操作が行われた場合には、ＣＰＵ３０１は、カーソル７１０の位置が変化するようにメニュー画像２０１を更新し、更新後のメニュー画像２０１が表示されるように画像処理部３０７の処理を制御する。カーソル移動操作は、カーソル７１０の移動を指示するユーザ操作である。設定変更操作が行われた場合には、ＣＰＵ３０１は、設定値（ゲイン値やオフセット値）の文字列、インジケータ、等が変化するようにメニュー画像２０１を更新し、更新後のメニュー画像２０１が表示されるように画像処理部３０７の処理を制御する。設定変更操作は、設定値の変更を指示するユーザ操作である。メニュー消去操作、カーソル移動操作、設定変更操作、等はメニュー画像の投影中に行われる。
【０１１７】
次に、Ｓ１０３にて、ＣＰＵ３０１は、Ｓ１０１で検出したメニュー操作によって画像
処理の制御（実行や変更）の必要性が生じたか否かを判断する。設定項目７０１〜７０３，７０５〜７０７の少なくともいずれかを用いたユーザ操作、すなわちＲＧＢ成分に関する設定値の変更を指示するメニュー操作が行われた場合には、ＣＰＵ３０１は、ＲＧＢ画像に対する画像処理の制御が必要と判断する。そして、ＣＰＵ３０１は、Ｓ１０４に処理を遷移させる。設定項目７０４，７０８の少なくともいずれかを用いたメニュー操作、すなわちＩＲ成分に関する設定値の変更を指示するメニュー操作が行われた場合には、ＣＰＵ３０１は、ＩＲ画像に対する画像処理の制御が必要と判断する。そして、ＣＰＵ３０１は、Ｓ１０５に処理を遷移させる。設定項目７０９を用いたメニュー操作、すなわち他の画像処理に関する設定値の変更を指示するメニュー操作が行われた場合には、ＣＰＵ３０１は、他の画像処理の制御が必要と判断する。そして、ＣＰＵ３０１は、Ｓ１０６に処理を遷移させる。それら以外の場合には、ＣＰＵ３０１は、画像処理の制御は不必要と判断し、Ｓ１０１に処理を遷移させる。
【０１１８】
Ｓ１０４にて、ＣＰＵ３０１は、ＲＧＢ画像に対する画像処理を実行したり変更したりするように、画像処理部３０７の処理を制御する。その後、ＣＰＵ３０１はＳ１０１に処理を遷移させる。Ｓ１０５にて、ＣＰＵ３０１は、ＩＲ画像に対する画像処理を実行したり変更したりするように、画像処理部３０７の処理を制御する。その後、ＣＰＵ３０１はＳ１０１に処理を遷移させる。Ｓ１０６にて、ＣＰＵ３０１は、他の画像処理を実行したり変更したりするように、画像処理部３０７の処理を制御する。その後、ＣＰＵ３０１はＳ１０１に処理を遷移させる。
【０１１９】
（効果）
以上述べたように、本実施例によれば、条件１〜４を満たすようにメニュー画像が生成される。それにより、違和感が無く且つ利便性の高いメニュー画像を生成することができる。具体的には、肉眼でも暗視ゴーグル越しにでも、重要と考えられる部分が高コントラストで視認でき、それ以外の部分が低コントラストで視認できるように、メニュー画像が生成されて表示される。そのため、ユーザは、高コントラストで視認された項目が現在使用すべき項目であり、低コントラストで視認された項目が別の機会に使用すべき項目であると、直感的かつ容易に理解することができる。そして、ユーザは、高コントラストで視認された部分を重要視してメニュー画像を用いた操作を直感的かつ容易に行うことができる（煩雑化の低減）。さらに、メニュー画像の全部分が視認できるため、メニュー画像に対してユーザが違和感を抱くことは無く、ユーザの安心感を向上し、ユーザの心理的負担を低減することができる。
【０１２０】
（ＢＡＣＫ領域の階調値を高める変形例）
上記処理では、表示タイプ「ＴＹＰＥ＿ＲＧＢ」のＩＲ成分について、ＦＯＲＥ領域の階調値を低減することにより、コントラストが低減される。表示タイプ「ＴＹＰＥ＿ＩＲ」のＲＧＢ成分についても、同様に、ＦＯＲＥ領域の階調値を低減することにより、コントラストが低減される。しかしながら、コントラストの低減方法はこれに限られない。例えば、ＢＡＣＫ領域の階調値を高めることによっても、コントラストを低減することができる。具体的には、表示タイプ、ＦＯＲＥ領域の階調値、及び、ＢＡＣＫ領域の階調値の対応関係のケースとして、図９（Ａ）のケース２の対応関係を使用しても、条件１〜４が満たされ、上述した効果を得ることができる。
【０１２１】
ケース２では、表示タイプ「ＴＹＰＥ＿ＲＧＢ」のＲＧＢ成分について、ＦＯＲＥ領域の階調値「１００」とＢＡＣＫ領域の階調値「５」との差の絶対値は「９５（＝｜１００−５｜）」である。そして、表示タイプ「ＴＹＰＥ＿ＲＧＢ」のＩＲ成分について、ＦＯＲＥ領域の階調値「８０」とＢＡＣＫ領域の階調値「５０」との差の絶対値は「３０（＝｜８０−５０｜）」である。ＲＧＢ成分の差「９５」がＩＲ成分の差「３０」よりも大きいことにより、表示タイプ「ＴＹＰＥ＿ＲＧＢ」のＲＧＢ成分のコントラストが表示タイ
プ「ＴＹＰＥ＿ＲＧＢ」のＩＲ成分のコントラストよりも高いという条件１が満たされる。
【０１２２】
また、ケース２では、表示タイプ「ＴＹＰＥ＿ＲＧＢ」のＲＧＢ成分について、ＢＡＣＫ領域の階調値「５」に対するＦＯＲＥ領域の階調値「１００」の比率は「２０（＝１００／５）」である。そして、表示タイプ「ＴＹＰＥ＿ＲＧＢ」のＩＲ成分について、ＢＡＣＫ領域の階調値「５０」に対するＦＯＲＥ領域の階調値「８０」の比率は「１．６（＝８０／５０）」である。ＲＧＢ成分の比率「２０」がＩＲ成分の比率「１．６」よりも大きいことによっても、条件１が満たされる。
【０１２３】
ケース２では、表示タイプ「ＴＹＰＥ＿ＩＲ」のＲＧＢ成分について、ＦＯＲＥ領域の階調値「１００」とＢＡＣＫ領域の階調値「５０」との差の絶対値は「５０（＝｜１００−５０｜）」である。そして、表示タイプ「ＴＹＰＥ＿ＩＲ」のＩＲ成分について、ＦＯＲＥ領域の階調値「１００」とＢＡＣＫ領域の階調値「５」との差の絶対値は「９５（＝｜１００−５｜）」である。ＩＲ成分の差「９５」がＲＧＢ成分の差「５０」よりも大きいことにより、表示タイプ「ＴＹＰＥ＿ＩＲ」のＩＲ成分のコントラストが表示タイプ「ＴＹＰＥ＿ＩＲ」のＲＧＢ成分のコントラストよりも高いという条件２が満たされる。
【０１２４】
また、ケース２では、表示タイプ「ＴＹＰＥ＿ＩＲ」のＲＧＢ成分について、ＢＡＣＫ領域の階調値「５０」に対するＦＯＲＥ領域の階調値「１００」の比率は「２（＝１００／５０）」である。そして、表示タイプ「ＴＹＰＥ＿ＩＲ」のＩＲ成分について、ＢＡＣＫ領域の階調値「５」に対するＦＯＲＥ領域の階調値「１００」の比率は「２０（＝１００／５）」である。ＩＲ成分の比率「２０」がＲＧＢ成分の比率「２」よりも大きいことによっても、条件２が満たされる。
【０１２５】
ケース２では、表示タイプ「ＴＹＰＥ＿ＢＯＴＨ」のＲＧＢ成分について、ＦＯＲＥ領域の階調値「１００」とＢＡＣＫ領域の階調値「５」との差の絶対値は「９５（＝｜１００−５｜）」である。そして、表示タイプ「ＴＹＰＥ＿ＩＲ」のＲＧＢ成分について、ＦＯＲＥ領域の階調値「１００」とＢＡＣＫ領域の階調値「５０」との差の絶対値は「５０（＝｜１００−５０｜）」である。このように、表示タイプ「ＴＹＰＥ＿ＢＯＴＨ」の差「９５」は、表示タイプ「ＴＹＰＥ＿ＩＲ」の差「５０」よりも大きい。これにより、表示タイプ「ＴＹＰＥ＿ＢＯＴＨ」のＲＧＢ成分のコントラストが表示タイプ「ＴＹＰＥ＿ＩＲ」のＲＧＢ成分のコントラストよりも高いという条件３が満たされる。
【０１２６】
また、ケース２では、表示タイプ「ＴＹＰＥ＿ＢＯＴＨ」のＲＧＢ成分について、ＢＡＣＫ領域の階調値「５」に対するＦＯＲＥ領域の階調値「１００」の比率は「２０（＝１００／５）」である。そして、表示タイプ「ＴＹＰＥ＿ＩＲ」のＲＧＢ成分について、ＢＡＣＫ領域の階調値「５０」に対するＦＯＲＥ領域の階調値「１００」の比率は「２（＝１００／５０）」である。表示タイプ「ＴＹＰＥ＿ＢＯＴＨ」の比率「２０」が表示タイプ「ＴＹＰＥ＿ＩＲ」の比率「２」よりも大きいことによっても、条件３が満たされる。
【０１２７】
ケース２では、表示タイプ「ＴＹＰＥ＿ＢＯＴＨ」のＩＲ成分について、ＦＯＲＥ領域の階調値「８０」とＢＡＣＫ領域の階調値「５」との差の絶対値は「７５（＝｜８０−５｜）」である。そして、表示タイプ「ＴＹＰＥ＿ＲＧＢ」のＩＲ成分について、ＦＯＲＥ領域の階調値「８０」とＢＡＣＫ領域の階調値「５０」との差の絶対値は「３０（＝｜８０−５０｜）」である。このように、表示タイプ「ＴＹＰＥ＿ＢＯＴＨ」の差「７５」は、表示タイプ「ＴＹＰＥ＿ＲＧＢ」の差「３０」よりも大きい。これにより、表示タイプ「ＴＹＰＥ＿ＢＯＴＨ」のＩＲ成分のコントラストが表示タイプ「ＴＹＰＥ＿ＲＧＢ」のＩＲ成分のコントラストよりも高いという条件４が満たされる。
【０１２８】
また、ケース２では、表示タイプ「ＴＹＰＥ＿ＢＯＴＨ」のＩＲ成分について、ＢＡＣＫ領域の階調値「５」に対するＦＯＲＥ領域の階調値「８０」の比率は「１６（＝８０／５）」である。そして、表示タイプ「ＴＹＰＥ＿ＲＧＢ」のＩＲ成分について、ＢＡＣＫ領域の階調値「５０」に対するＦＯＲＥ領域の階調値「８０」の比率は「１．６（＝８０／５０）」である。表示タイプ「ＴＹＰＥ＿ＢＯＴＨ」の比率「１６」が表示タイプ「ＴＹＰＥ＿ＲＧＢ」の比率「１．６」よりも大きいことによっても、条件４が満たされる。
【０１２９】
ケース２において肉眼で視認される輝度について、図９（Ｂ）を用いて説明する。図９（Ｂ）に示すように、表示タイプ「ＴＹＰＥ＿ＲＧＢ」のＦＯＲＥ領域について、肉眼で視認される輝度は「１００」となり、表示タイプ「ＴＹＰＥ＿ＲＧＢ」のＢＡＣＫ領域について、肉眼で視認される輝度は「５」となる。同様に、表示タイプ「ＴＹＰＥ＿ＩＲ」のＦＯＲＥ領域について、肉眼で視認される輝度は「１００」となり、表示タイプ「ＴＹＰＥ＿ＩＲ」のＢＡＣＫ領域について、肉眼で視認される輝度は「５０」となる。そして、表示タイプ「ＴＹＰＥ＿ＢＯＴＨ」のＦＯＲＥ領域について、肉眼で視認される輝度は「１００」となり、表示タイプ「ＴＹＰＥ＿ＢＯＴＨ」のＢＡＣＫ領域について、肉眼で視認される輝度は「５」となる。従って、肉眼での視認において、表示タイプ「ＴＹＰＥ＿ＲＧＢ」，「ＴＹＰＥ＿ＢＯＴＨ」は、表示タイプ「ＴＹＰＥ＿ＩＲ」に比べ高いコントラストで視認される。
【０１３０】
ケース２において暗視ゴーグルＮＶＧ−Ａ越しに視認される輝度について、図９（Ｃ）を用いて説明する。図９（Ｃ）に示すように、表示タイプ「ＴＹＰＥ＿ＲＧＢ」のＦＯＲＥ領域について、暗視ゴーグルＮＶＧ−Ａ越しに視認される輝度は「１２０」となる。そして、表示タイプ「ＴＹＰＥ＿ＲＧＢ」のＢＡＣＫ領域について、暗視ゴーグルＮＶＧ−Ａ越しに視認される輝度は「５２」となる。同様に、表示タイプ「ＴＹＰＥ＿ＩＲ」のＦＯＲＥ領域について、暗視ゴーグルＮＶＧ−Ａ越しに視認される輝度は「１４０」となる。表示タイプ「ＴＹＰＥ＿ＩＲ」のＢＡＣＫ領域について、暗視ゴーグルＮＶＧ−Ａ越しに視認される輝度は「２５」となる。表示タイプ「ＴＹＰＥ＿ＢＯＴＨ」のＦＯＲＥ領域について、暗視ゴーグルＮＶＧ−Ａ越しに視認される輝度は「１２０」となる。そして、表示タイプ「ＴＹＰＥ＿ＢＯＴＨ」のＢＡＣＫ領域について、暗視ゴーグルＮＶＧ−Ａ越しに視認される輝度は「７」となる。従って、暗視ゴーグルＮＶＧ−Ａ越しの視認において、表示タイプ「ＴＹＰＥ＿ＩＲ」，「ＴＹＰＥ＿ＢＯＴＨ」は、表示タイプ「ＴＹＰＥ＿ＲＧＢ」に比べ高いコントラストで視認される。
【０１３１】
図１１（Ｂ）は、ケース２においてユーザ１０６が肉眼で視認するメニュー画像２０１Ｖｂを示す。メニュー画像２０１Ｖｂの部分７００Ｖｂ〜７１０Ｖｂは、図７の部分７００〜７１０にそれぞれ対応する。なお、図１１（Ｂ）では、投影での白色が黒色で示され、投影での黒色が白色で示されている。図１１（Ｂ）から分かるように、表示タイプ「ＴＹＰＥ＿ＢＯＴＨ」に対応付けられたタイトル部７００Ｖｂ、設定項目７０９Ｖｂ、及び、カーソル７１０Ｖｂは、高いコントラストで視認される。表示タイプ「ＴＹＰＥ＿ＲＧＢ」に対応付けられた設定項目７０１Ｖｂ〜７０３Ｖｂ，７０５Ｖｂ〜７０７Ｖｂも、高いコントラストで視認される。一方、表示タイプ「ＴＹＰＥ＿ＩＲ」に対応付けられた設定項目７０４Ｖｂ，７０８Ｖｂは、濃く（明るく）表示され、低いコントラストで視認される。
【０１３２】
図示は省略するが、ケース２においてユーザ１０６が暗視ゴーグルＮＶＧ−Ａ越しにメニュー画像２０１を視認する場合には、表示タイプ「ＴＹＰＥ＿ＩＲ」や表示タイプ「ＴＹＰＥ＿ＢＯＴＨ」に対応付けられた部分は、高いコントラストで視認される。一方、表示タイプ「ＴＹＰＥ＿ＲＧＢ」に対応付けられた部分は、濃く（明るく）表示され、低いコントラストで視認される。
【０１３３】
（暗視ゴーグルの感度特性を考慮して階調値を決定する変形例）
メニュー画像２０１の階調値は、暗視ゴーグル１０７の感度特性に応じて決定されたり変更されたりしてもよい。例えば、図６のＳ１００にて、ＣＰＵ３０１は、暗視ゴーグル１０７に関する情報（暗視ゴーグル１０７の型番、暗視ゴーグル１０７の感度特性情報、等）を、通信部３１７を介して外部から取得してもよい。暗視ゴーグル１０７に関する情報は、操作部３０４を用いたユーザ操作によって指定されてもよい。その場合には、ＣＰＵ３０１は、暗視ゴーグル１０７に関する情報として、ユーザ操作に応じた情報を操作部３０４から取得する。そして、図６のＳ１０２にて、ＣＰＵ３０１は、暗視ゴーグル１０７に関する情報に基づいて、メニュー画像２０１の各部分の階調値を決定してもよい。例えば、ＣＰＵ３０１は、暗視ゴーグルＮＶＧ−Ａが使用される場合に図９（Ａ）のケース１の階調値を使用し、暗視ゴーグルＮＶＧ−Ｂが使用される場合に図９（Ａ）のケース３の階調値を使用してもよい。ケース１の例については説明済みであるため、ケース３の列について説明する。
【０１３４】
ケース３では、表示タイプ「ＴＹＰＥ＿ＲＧＢ」のＲＧＢ成分について、ＦＯＲＥ領域の階調値「１００」とＢＡＣＫ領域の階調値「５」との差の絶対値は「９５（＝｜１００−５｜）」である。そして、表示タイプ「ＴＹＰＥ＿ＲＧＢ」のＩＲ成分について、ＦＯＲＥ領域の階調値「０」とＢＡＣＫ領域の階調値「５」との差の絶対値は「５（＝｜０−５｜）」である。ＲＧＢ成分の差「９５」がＩＲ成分の差「５」よりも大きいことにより、表示タイプ「ＴＹＰＥ＿ＲＧＢ」のＲＧＢ成分のコントラストが表示タイプ「ＴＹＰＥ＿ＲＧＢ」のＩＲ成分のコントラストよりも高いという条件１が満たされる。
【０１３５】
また、ケース３では、表示タイプ「ＴＹＰＥ＿ＲＧＢ」のＲＧＢ成分について、ＢＡＣＫ領域の階調値「５」に対するＦＯＲＥ領域の階調値「１００」の比率は「２０（＝１００／５）」である。そして、表示タイプ「ＴＹＰＥ＿ＲＧＢ」のＩＲ成分について、ＢＡＣＫ領域の階調値「５」に対するＦＯＲＥ領域の階調値「０」の比率は「０（＝０／５）」である。ＲＧＢ成分の比率「２０」がＩＲ成分の比率「０」よりも大きいことによっても、条件１が満たされる。
【０１３６】
ケース３では、表示タイプ「ＴＹＰＥ＿ＩＲ」のＲＧＢ成分について、ＦＯＲＥ領域の階調値「５０」とＢＡＣＫ領域の階調値「５」との差の絶対値は「４５（＝｜５０−５｜）」である。そして、表示タイプ「ＴＹＰＥ＿ＩＲ」のＩＲ成分について、ＦＯＲＥ領域の階調値「３００」とＢＡＣＫ領域の階調値「５」との差の絶対値は「２９５（＝｜３００−５｜）」である。ＩＲ成分の差「２９５」がＲＧＢ成分の差「４５」よりも大きいことにより、表示タイプ「ＴＹＰＥ＿ＩＲ」のＩＲ成分のコントラストが表示タイプ「ＴＹＰＥ＿ＩＲ」のＲＧＢ成分のコントラストよりも高いという条件２が満たされる。
【０１３７】
また、ケース３では、表示タイプ「ＴＹＰＥ＿ＩＲ」のＲＧＢ成分について、ＢＡＣＫ領域の階調値「５」に対するＦＯＲＥ領域の階調値「５０」の比率は「１０（＝５０／５）」である。そして、表示タイプ「ＴＹＰＥ＿ＩＲ」のＩＲ成分について、ＢＡＣＫ領域の階調値「５」に対するＦＯＲＥ領域の階調値「３００」の比率は「６０（＝３００／５）」である。ＩＲ成分の比率「６０」がＲＧＢ成分の比率「１０」よりも大きいことによっても、条件２が満たされる。
【０１３８】
ケース３では、表示タイプ「ＴＹＰＥ＿ＢＯＴＨ」のＲＧＢ成分について、ＦＯＲＥ領域の階調値「１００」とＢＡＣＫ領域の階調値「５」との差の絶対値は「９５（＝｜１００−５｜）」である。そして、表示タイプ「ＴＹＰＥ＿ＩＲ」のＲＧＢ成分について、ＦＯＲＥ領域の階調値「５０」とＢＡＣＫ領域の階調値「５」との差の絶対値は「４５（＝｜５０−５｜）」である。このように、表示タイプ「ＴＹＰＥ＿ＢＯＴＨ」の差「９５」は、表示タイプ「ＴＹＰＥ＿ＩＲ」の差「４５」よりも大きい。これにより、表示タイプ
「ＴＹＰＥ＿ＢＯＴＨ」のＲＧＢ成分のコントラストが表示タイプ「ＴＹＰＥ＿ＩＲ」のＲＧＢ成分のコントラストよりも高いという条件３が満たされる。
【０１３９】
また、ケース３では、表示タイプ「ＴＹＰＥ＿ＢＯＴＨ」のＲＧＢ成分について、ＢＡＣＫ領域の階調値「５」に対するＦＯＲＥ領域の階調値「１００」の比率は「２０（＝１００／５）」である。そして、表示タイプ「ＴＹＰＥ＿ＩＲ」のＲＧＢ成分について、ＢＡＣＫ領域の階調値「５」に対するＦＯＲＥ領域の階調値「５０」の比率は「１０（＝５０／５）」である。表示タイプ「ＴＹＰＥ＿ＢＯＴＨ」の比率「２０」が表示タイプ「ＴＹＰＥ＿ＩＲ」の比率「１０」よりも大きいことによっても、条件３が満たされる。
【０１４０】
ケース３では、表示タイプ「ＴＹＰＥ＿ＢＯＴＨ」のＩＲ成分について、ＦＯＲＥ領域の階調値「１２５」とＢＡＣＫ領域の階調値「５」との差の絶対値は「１２０（＝｜１２５−５｜）」である。そして、表示タイプ「ＴＹＰＥ＿ＲＧＢ」のＩＲ成分について、ＦＯＲＥ領域の階調値「０」とＢＡＣＫ領域の階調値「５」との差の絶対値は「５（＝｜０−５｜）」である。このように、表示タイプ「ＴＹＰＥ＿ＢＯＴＨ」の差「１２０」は、表示タイプ「ＴＹＰＥ＿ＲＧＢ」の差「５」よりも大きい。これにより、表示タイプ「ＴＹＰＥ＿ＢＯＴＨ」のＩＲ成分のコントラストが表示タイプ「ＴＹＰＥ＿ＲＧＢ」のＩＲ成分のコントラストよりも高いという条件４が満たされる。
【０１４１】
また、ケース３では、表示タイプ「ＴＹＰＥ＿ＢＯＴＨ」のＩＲ成分について、ＢＡＣＫ領域の階調値「５」に対するＦＯＲＥ領域の階調値「１２５」の比率は「２５（＝１２５／５）」である。そして、表示タイプ「ＴＹＰＥ＿ＲＧＢ」のＩＲ成分について、ＢＡＣＫ領域の階調値「５」に対するＦＯＲＥ領域の階調値「０」の比率は「０（＝０／５）」である。表示タイプ「ＴＹＰＥ＿ＢＯＴＨ」の比率「２５」が表示タイプ「ＴＹＰＥ＿ＲＧＢ」の比率「０」よりも大きいことによっても、条件４が満たされる。
【０１４２】
ケース３において肉眼で視認される輝度について、図９（Ｂ）を用いて説明する。図９（Ｂ）に示すように、表示タイプ「ＴＹＰＥ＿ＲＧＢ」のＦＯＲＥ領域について、肉眼で視認される輝度は「１００」となり、表示タイプ「ＴＹＰＥ＿ＲＧＢ」のＢＡＣＫ領域について、肉眼で視認される輝度は「５」となる。同様に、表示タイプ「ＴＹＰＥ＿ＩＲ」のＦＯＲＥ領域について、肉眼で視認される輝度は「５０」となり、表示タイプ「ＴＹＰＥ＿ＩＲ」のＢＡＣＫ領域について、肉眼で視認される輝度は「５」となる。そして、表示タイプ「ＴＹＰＥ＿ＢＯＴＨ」のＦＯＲＥ領域について、肉眼で視認される輝度は「１００」となり、表示タイプ「ＴＹＰＥ＿ＢＯＴＨ」のＢＡＣＫ領域について、肉眼で視認される輝度は「５」となる。従って、肉眼での視認において、表示タイプ「ＴＹＰＥ＿ＲＧＢ」，「ＴＹＰＥ＿ＢＯＴＨ」は、表示タイプ「ＴＹＰＥ＿ＩＲ」に比べ高いコントラストで視認される。
【０１４３】
ケース３において暗視ゴーグルＮＶＧ−Ｂ越しに視認される輝度について、図９（Ｃ）を用いて説明する。上述したように、ケース３では、表示タイプ「ＴＹＰＥ＿ＲＧＢ」のＲＧＢ成分について、ＦＯＲＥ領域の階調値は「１００」であり、ＢＡＣＫ領域の階調値は「５」である。そして、表示タイプ「ＴＹＰＥ＿ＲＧＢ」のＩＲ成分について、ＦＯＲＥ領域の階調値は「０」であり、ＢＡＣＫ領域の階調値は「５」である。また、図１０（Ｂ）に示すように、暗視ゴーグルＮＶＧ−Ｂでは、青色光成分に対する感度が「０．００」であり、緑色光成分に対する感度が「０．５０」であり、赤色光成分に対する感度が「０．５５」である。そして、赤外光成分（ＩＲ成分）に対する感度が「０．３０」である。従って、表示タイプ「ＴＹＰＥ＿ＲＧＢ」のＦＯＲＥ領域について、暗視ゴーグルＮＶＧ−Ｂ越しに視認される輝度は「１０５（＝１００×０．００＋１００×０．５０＋１００×０．５５＋０×０．３０）」となる。そして、表示タイプ「ＴＹＰＥ＿ＲＧＢ」のＢＡＣＫ領域について、暗視ゴーグルＮＶＧ−Ｂ越しに視認される輝度は「６．７５（＝５
×０．００＋５×０．５０＋５×０．５５＋５×０．３０）」となる。
【０１４４】
同様に、表示タイプ「ＴＹＰＥ＿ＩＲ」のＦＯＲＥ領域について、暗視ゴーグルＮＶＧ−Ｂ越しに視認される輝度は「１４２．５」となる。表示タイプ「ＴＹＰＥ＿ＩＲ」のＢＡＣＫ領域について、暗視ゴーグルＮＶＧ−Ｂ越しに視認される輝度は「６．７５」となる。表示タイプ「ＴＹＰＥ＿ＢＯＴＨ」のＦＯＲＥ領域について、暗視ゴーグルＮＶＧ−Ｂ越しに視認される輝度は「１４２．５」となる。そして、表示タイプ「ＴＹＰＥ＿ＢＯＴＨ」のＢＡＣＫ領域について、暗視ゴーグルＮＶＧ−Ｂ越しに視認される輝度は「６．７５」となる。
【０１４５】
従って、暗視ゴーグルＮＶＧ−Ｂ越しの視認において、表示タイプ「ＴＹＰＥ＿ＩＲ」，「ＴＹＰＥ＿ＢＯＴＨ」は、表示タイプ「ＴＹＰＥ＿ＲＧＢ」に比べ高いコントラストで視認される。
【０１４６】
メニュー画像２０１の階調値の決定方法は特に限定されない。例えば、メニュー画像２０１の階調値と暗視ゴーグル１０７（暗視ゴーグル１０７の感度特性）との対応関係を示す情報がＲＯＭ３０２に予め格納されてもよい。そして、ＣＰＵ３０１は、その情報をＲＯＭ３０２から読み出し、読み出した情報と、現在の暗視ゴーグル１０７とに基づいてメニュー画像２０１の階調値を決定してもよい。
【０１４７】
また、ＣＰＵ３０１は、暗視ゴーグル１０７の感度特性を考慮して、以下の条件５と条件６の少なくとも一方を満たすように、メニュー画像２０１の階調値を決定してもよい。条件５，６において、合成成分は、暗視ゴーグル１０７を使用しているユーザ１０６が視認（知覚）することができる成分であり、可視光成分と不可視光成分を所定の比率で合成した成分である。所定の比率は、暗視ゴーグル１０７の感度である。可視光成分の階調値は、肉眼で視認される輝度に対応し、合成成分の階調値は、暗視ゴーグル１０７越しに視認される輝度に対応する。
条件５：表示タイプ「ＴＹＰＥ＿ＲＧＢ」に関して、前景の可視光成分の階調値と、背景の可視光成分の階調値との差の絶対値が、前景の合成成分の階調値と、背景の前記合成成分の階調値との差の絶対値よりも大きい。
条件６：表示タイプ「ＴＹＰＥ＿ＩＲ」に関して、前景の合成成分の階調値と、背景の合成成分の階調値との差の絶対値が、前景の可視光成分の階調値と、背景の可視光成分の階調値との差の絶対値よりも大きい。
【０１４８】
暗視ゴーグル１０７の感度特性を考慮してメニュー画像２０１の階調値を決定することにより、違和感が無く且つ利便性の高いメニュー画像２０１を、より確実にユーザ１０６に視認させることができる。具体的には、暗視ゴーグル１０７の感度特性が変更されたり、暗視ゴーグル１０７が他の暗視ゴーグルに変更されたりした場合であっても、違和感が無く且つ利便性の高いメニュー画像２０１をユーザ１０６に視認させることができる。
【０１４９】
（暗視ゴーグルの感度特性を考慮して表示タイプを決定する変形例）
メニュー画像２０１の各部分の表示タイプは、暗視ゴーグル１０７の感度特性に応じて決定されたり変更されたりしてもよい。例えば、図６のＳ１００にて、ＣＰＵ３０１は、暗視ゴーグル１０７に関する情報（暗視ゴーグル１０７の型番、暗視ゴーグル１０７の感度特性情報、等）を、通信部３１７を介して外部から取得してもよい。暗視ゴーグル１０７に関する情報は、操作部３０４を用いたユーザ操作によって指定されてもよい。その場合には、ＣＰＵ３０１は、暗視ゴーグル１０７に関する情報として、ユーザ操作に応じた情報を操作部３０４から取得する。そして、図６のＳ１０２にて、ＣＰＵ３０１は、暗視ゴーグル１０７に関する情報に基づいて、メニュー画像２０１の各部分の表示タイプを決定してもよい。
【０１５０】
例えば、ＣＰＵ３０１は、暗視ゴーグルＮＶＧ−Ａが使用される場合に、図８のパターン２の対応関係で表示タイプを決定してもよい。図１０（Ａ），１０（Ｂ）に示すように、暗視ゴーグルＮＶＧ−Ａは、青色光と緑色光には反応しないが、赤色光と赤外光には反応する。従って、青色光成分や緑色光成分は、暗視ゴーグルＮＶＧ−Ａ越しには視認（知覚）できないが、肉眼では視認できる。そのため、パターン２の対応関係では、青色光成分や緑色光成分を調整するための設定項目７０２，７０３，７０６，７０７に、表示タイプ「ＴＹＰＥ＿ＲＧＢ」が対応付けられている。また、赤色光成分は、暗視ゴーグルＮＶＧ−Ａ越しにも肉眼でも視認できる。そのため、パターン２の対応関係では、赤色光成分を調整するための設定項目７０１，７０５に、表示タイプ「ＴＹＰＥ＿ＢＯＴＨ」が対応付けられている。そして、赤外光成分は、暗視ゴーグルＮＶＧ−Ａ越しには視認できるが、肉眼では視認できない。そのため、パターン２の対応関係では、赤外光成分を調整するための設定項目７０４，７０８に、表示タイプ「ＴＹＰＥ＿ＩＲ」が対応付けられている。
【０１５１】
例えば、ＣＰＵ３０１は、暗視ゴーグルＮＶＧ−Ｂが使用される場合に、図８のパターン３の対応関係で表示タイプを決定してもよい。図１０（Ａ），１０（Ｂ）に示すように、暗視ゴーグルＮＶＧ−Ｂは、青色光には反応しないが、緑色光と赤色光と赤外光には反応する。従って、青色光は、暗視ゴーグルＮＶＧ−Ｂ越しには視認できないが、肉眼では視認できる。そのため、パターン３の対応関係では、青色光成分を調整するための設定項目７０３，７０７に、表示タイプ「ＴＹＰＥ＿ＲＧＢ」が対応付けられている。また、緑色光成分や赤色光成分は、暗視ゴーグルＮＶＧ−Ｂ越しにも肉眼でも視認できる。そのため、パターン３の対応関係では、緑色光成分や赤色光成分を調整するための設定項目７０１，７０２，７０５，７０６に、表示タイプ「ＴＹＰＥ＿ＢＯＴＨ」が対応付けられている。そして、赤外光成分は、暗視ゴーグルＮＶＧ−Ｂ越しには視認できるが、肉眼では視認できない。そのため、パターン３の対応関係では、赤外光成分を調整するための設定項目７０４，７０８に、表示タイプ「ＴＹＰＥ＿ＩＲ」が対応付けられている。
【０１５２】
図８のパターン２とパターン３のどちらが使用されても、肉眼では図１１（Ａ）のメニュー画像２０１Ｖａが視認される。
【０１５３】
図１２（Ｂ）は、パターン２が使用された場合においてユーザ１０６が暗視ゴーグルＮＶＧ−Ａ越しに視認するメニュー画像２０１ＩＲｂを示す。メニュー画像２０１ＩＲａの部分７００ＩＲｂ〜７１０ＩＲｂは、図７の部分７００〜７１０にそれぞれ対応する。なお、図１２（Ｂ）では、投影での白色が黒色で示され、投影での黒色が白色で示されている。図１２（Ｂ）から分かるように、表示タイプ「ＴＹＰＥ＿ＢＯＴＨ」に対応付けられたタイトル部７００ＩＲｂ、設定項目７０１ＩＲｂ、設定項目７０５ＩＲｂ、設定項目７０９ＩＲｂ、及び、カーソル７１０ＩＲｂは、高いコントラストで視認される。表示タイプ「ＴＹＰＥ＿ＩＲ」に対応付けられた設定項目７０４ＩＲｂ，７０８ＩＲｂも、高いコントラストで視認される。一方、表示タイプ「ＴＹＰＥ＿ＲＧＢ」に対応付けられた設定項目７０２ＩＲｂ，７０３ＩＲｂ，７０６ＩＲｂ，７０７ＩＲｂは、薄く（暗く）表示され、低いコントラストで視認される。暗視ゴーグルＮＶＧ−Ａ越しに視認できる赤色光成分や赤外光成分に対応する設定項目７０１ＩＲｂ，７０４ＩＲｂ，７０５ＩＲｂ，７０８ＩＲｂが高コントラストで視認されることにより、ユーザ１０６は設定項目を容易に選択できる。
【０１５４】
図１２（Ｃ）は、パターン３が使用された場合においてユーザ１０６が暗視ゴーグルＮＶＧ−Ｂ越しに視認するメニュー画像２０１ＩＲｃを示す。メニュー画像２０１ＩＲｃの部分７００ＩＲｃ〜７１０ＩＲｃは、図７の部分７００〜７１０にそれぞれ対応する。なお、図１２（Ｃ）では、投影での白色が黒色で示され、投影での黒色が白色で示されてい
る。図１２（Ｃ）から分かるように、表示タイプ「ＴＹＰＥ＿ＢＯＴＨ」に対応付けられたタイトル部７００ＩＲｃ、設定項目７０１ＩＲｃ，７０２ＩＲｃ，７０５ＩＲｃ，７０６ＩＲｃ，７０９ＩＲｃ、カーソル７１０ＩＲｃは、高いコントラストで視認される。表示タイプ「ＴＹＰＥ＿ＩＲ」に対応付けられた設定項目７０４ＩＲｃ，７０８ＩＲｃも、高いコントラストで視認される。一方、表示タイプ「ＴＹＰＥ＿ＲＧＢ」に対応付けられた設定項目７０３ＩＲｃ，７０７ＩＲｃは、薄く（暗く）表示され、低いコントラストで視認される。このように、暗視ゴーグルＮＶＧ−Ｂ越しに視認できる赤色光成分や緑色光成分や赤外光成分に対応する設定項目７０１ＩＲｃ，７０２ＩＲｃ，７０４ＩＲｃ，７０５ＩＲｃ，７０６ＩＲｃ，７０８ＩＲｃが高コントラストで視認される。それにより、ユーザ１０６は設定項目を容易に選択できる。
【０１５５】
暗視ゴーグル１０７の感度特性を考慮して表示タイプを決定すれば、違和感が無く且つ利便性の高いメニュー画像２０１を、より確実にユーザ１０６に視認させることができる。具体的には、暗視ゴーグル１０７の感度特性が変更されたり、暗視ゴーグル１０７が他の暗視ゴーグルに変更されたりした場合であっても、違和感が無く且つ利便性の高いメニュー画像２０１をユーザ１０６に視認させることができる。
【０１５６】
（一部の条件のみを満たす変形例）
条件１〜４の全てを満たす例を説明したが、条件３と条件４の少なくとも一方が満たされなくてもよい。条件１と条件２の一方が満たされなくてもよい。条件１と条件２の少なくとも一方が満たされればよい。条件１が満たされれば、ユーザ１０６は、違和感が無く且つ利便性の高いメニュー画像２０１を肉眼で視認することができる。条件２が満たされれば、ユーザ１０６は、違和感が無く且つ利便性の高いメニュー画像２０１を暗視ゴーグル１０７越しに視認することができる。条件１と条件２の少なくとも一方が満たされれば、メニュー画像２０１の階調値は特に限定されない。条件５と条件６の一方のみが満たされてもよいし、両方が満たされてもよい。
【０１５７】
（その他の変形例）
光成分（可視光成分や赤外光成分）を調整するための設定項目として、ゲイン補正処理に関する設定項目と、オフセット補正処理に関する設定項目との一方のみがメニュー画像２０１に配置されてもよい。光成分を調整するための設定項目として、他の設定項目がメニュー画像２０１に配置されてもよい。光成分を調整するための設定項目は、画像データに対する画像処理に関する設定項目であってもよいし、光源の発光制御（発光処理；光源制御部３１０の処理）に関する設定項目であってもよい。例えば、ガンマ補正、色相補正、サチュレーション補正、エッジ強調、アスペクト比変更、拡大縮小、インタレースプログレッシブ変換、色空間変換処理、ノイズリダクション、特定色補正、等に関する設定項目が使用されてもよい。発光量調整、アイリス制御、幾何学補正処理、左右・上下反転処理、等に関する設定項目が使用されてもよい。そして、例えば、複数の設定項目のうち、設定変更による主な影響が可視光成分にのみ現れる設定項目に対して、表示タイプ「ＴＹＰＥ＿ＲＧＢ」が対応付けられる。複数の設定項目のうち、設定変更による主な影響が赤外光成分にのみ現れる設定項目に表示タイプ「ＴＹＰＥ＿ＩＲ」が対応付けられる。複数の設定項目のうち、設定変更による主な影響が可視光成分と赤外光成分の両方に現れる設定項目に対して、表示タイプ「ＴＹＰＥ＿ＢＯＴＨ」が対応付けられる。
【０１５８】
＜実施例２＞
本発明の実施例２について説明する。なお、以下では、実施例１と異なる点（構成、処理、等）について詳しく説明し、実施例１と同じ点についての説明は省略する。
【０１５９】
図１３（Ａ）は、本実施例に係るメニュー画像の一例を示す。図１３（Ａ）のメニュー画像１３００ａには、タイトル部１３０１ａ、設定項目１３０２ａ〜１３１０ａ、及び、
カーソル１３２０ａが配置されている。タイトル部１３０１ａは、図７のタイトル部７００に対応する。設定項目１３０２ａ〜１３１０ａは、図７の設定項目７０１〜７０９にそれぞれ対応する。カーソル１３２０ａは、図７のカーソル７１０に対応する。さらに、メニュー画像１３００ａには、アイコン１３１１ａ〜１３１９ａが配置されている。アイコン１３１１ａ〜１３１９ａは、設定項目１３０２ａ〜１３１０ａにそれぞれ対応付けられている。アイコン１３１１ａ〜１３１９ａのそれぞれは、例えば、対応する設定項目の設定変更による主な影響が視認できることを意味する。アイコン１３１１ａ〜１３１９ａに記載の「Ｖ」は、「Ｖｉｓｉｂｌｅ」を意味する。
【０１６０】
本実施例では、ＣＰＵ３０１は、メニュー画像１３００ａの複数の部分のうち、アイコン１３１１ａ〜１３１９ａ以外の部分について、肉眼でも暗視ゴーグル越しにでも視認できる階調値を使用する。アイコン１３１１ａ〜１３１９ａのそれぞれは、「ＴＹＰＥ＿ＲＧＢ」、「ＴＹＰＥ＿ＩＲ」、及び、「ＴＹＰＥ＿ＢＯＴＨ」の３種類の表示タイプの何れかに分類される。ＣＰＵ３０１は、表示タイプに応じた階調値でアイコン１３１１ａ〜１３１９ａを生成する。それにより、メニュー画像１３００ａが生成される。
【０１６１】
表示タイプの判断方法は実施例１と同様である。図８のパターン１に基づく例を説明する。パターン１では、設定項目１３０２ａ〜１３０４ａ，１３０６ａ〜１３０８ａに対応する設定項目７０１〜７０３，７０５〜７０７に対して、表示タイプ「ＴＹＰＥ＿ＲＧＢ」が対応付けられる。そのため、パターン１に基づいて、設定項目１３０２ａ〜１３０４ａ，１３０６ａ〜１３０８ａに対応するアイコン１３１１ａ〜１３１３ａ，１３１５ａ〜１３１７ａに対して、表示タイプ「ＴＹＰＥ＿ＲＧＢ」が対応付けられる。パターン１では、設定項目１３０５ａ，１３０９ａに対応する設定項目７０４，７０８に対して、表示タイプ「ＴＹＰＥ＿ＩＲ」が対応付けられる。そのため、パターン１に基づいて、設定項目１３０５ａ，１３０９ａに対応するアイコン１３１４ａ，１３１８ａに対して、表示タイプ「ＴＹＰＥ＿ＩＲ」が対応付けられる。そして、パターン１では、設定項目１３１０ａに対応する設定項目７０９に対して、表示タイプ「ＴＹＰＥ＿ＢＯＴＨ」が対応付けられる。そのため、パターン１に基づいて、設定項目１３１０ａに対応するアイコン１３１９ａに対して、表示タイプ「ＴＹＰＥ＿ＢＯＴＨ」が対応付けられる。なお、図８のパターン２，３に基づく方法で表示タイプが判断されてよい。
【０１６２】
本実施例では、ＣＰＵ３０１は、表示タイプ「ＴＹＰＥ＿ＲＧＢ」に対応するアイコン１３１１ａ〜１３１３ａ，１３１５ａ〜１３１７ａの階調値として、以下の条件７を満たす値を使用する。
条件７：暗視ゴーグル１０７を使用しているユーザの知覚できる光成分が低減されている。
【０１６３】
図１４は、表示タイプと、アイコンの階調値との対応関係を示す。表示タイプと、アイコンの階調値との対応関係のケースとして、様々なケースが考えられる。図１４には、３つのケース１〜３が示されている。図１４のテーブル内に記載の数値は、アイコンの階調値である。図１４には、階調値として、Ｒ成分（赤色光成分）に対応する値、Ｇ成分（緑色光成分）に対応する値、Ｂ成分（青色光成分）に対応する値、及び、ＩＲ成分（赤外光成分）に対応する値が示されている。図１４において、「アイコンＶ」に対応付けられた階調値が、アイコン１３１１ａ〜１３１９ａの階調値として使用される。
【０１６４】
ＣＰＵ３０１は、暗視ゴーグル１０７（暗視ゴーグル１０７の感度特性）に応じて、ケース１〜３の何れかの階調値を選択する。例えば、ＣＰＵ３０１は、暗視ゴーグル１０７に関する情報（暗視ゴーグル１０７の型番、暗視ゴーグル１０７の感度特性情報、等）を、通信部３１７を介して外部から取得する。そして、ＣＰＵ３０１は、取得した情報に基づいて、ケース１〜３の何れかの階調値を選択する。暗視ゴーグル１０７に関する情報は
、操作部３０４を用いたユーザ操作によって指定されてもよい。その場合には、ＣＰＵ３０１は、暗視ゴーグル１０７に関する情報として、ユーザ操作に応じた情報を操作部３０４から取得する。
【０１６５】
階調値の選択方法について、具体的に説明する。まず、ＣＰＵ３０１は、Ｒ成分、Ｇ成分、及び、Ｂ成分から、暗視ゴーグル１０７の感度が所定の閾値以上である光成分を選択する。所定の閾値が「０．１」であり、且つ、暗視ゴーグル１０７が暗視ゴーグルＮＶＧ−Ａである場合を考える。この場合には、図１０（Ｂ）に示す感度に従って、Ｒ成分が選択される。他の例として、所定の閾値が「０．１」であり、且つ、暗視ゴーグル１０７が暗視ゴーグルＮＶＧ−Ｂである場合を考える。この場合には、図１０（Ｂ）に示す感度に従って、Ｒ成分とＧ成分が選択される。なお、所定の閾値は「０．１」より大きくても小さくてもよい。所定の閾値として、例えば、暗視ゴーグル１０７越しの視認性の高低を分けるような値が使用される。
【０１６６】
次に、ＣＰＵ３０１は、表示タイプ「ＴＹＰＥ＿ＲＧＢ」に対応する階調値を参照して、ケース１〜３の中から、上記選択した光成分の階調値が初期階調値（例えば「１００」）よりも小さいケースを選択する。例えば、暗視ゴーグルＮＶＧ−Ａの場合には、ＣＰＵ３０１は、Ｒ成分の階調値に着目する。ケース１〜３の全てにおいて、Ｒ成分の階調値「０」は初期階調値「１００」よりも小さい。そのため、ケース１〜３の何れが選択されてもよい。ＮＶＧ−Ｂの特性の場合には、ＣＰＵ３０１は、Ｒ成分の階調値とＧ成分の階調値とに着目する。Ｒ成分の階調値とＧ成分の階調値との両方が初期階調値「１００」よりも小さいのはケース２（Ｒ成分の階調値とＧ成分の階調値との両方が「０」）のみであるため、ケース２が選択される。なお、初期階調値は「１００」より大きくても小さくてもよい。
【０１６７】
そして、ＣＰＵ３０１は、選択したケースの階調値を、アイコンＶの階調値として使用する。それによって、表示タイプ「ＴＹＰＥ＿ＲＧＢ」に対応するアイコンＶは、暗視ゴーグル１０７の感度が低い可視光成分のみで表示されることになる。そのため、暗視ゴーグル１０７を用いた状態について、表示タイプ「ＴＹＰＥ＿ＲＧＢ」に対応するアイコンＶの視認は、不可能または困難となる。
【０１６８】
ケース１〜３の階調値が予め用意される、例えばケース１〜３の階調値がＲＯＭ３０２に予め記録されることにより、上記方法での階調値の決定が可能となる。しかしながら、アイコンＶの階調値の決定方法は、これに限られない。例えば、ＣＰＵ３０１は、暗視ゴーグル１０７の感度特性に基づく演算により、階調値を算出してもよい。具体的には、ＣＰＵ３０１は、Ｒ成分、Ｇ成分、及び、Ｂ成分から、暗視ゴーグル１０７の感度が所定の閾値以上である成分を選択する。そして、ＣＰＵ３０１は、表示タイプ「ＴＹＰＥ＿ＲＧＢ」について、選択した光成分の階調値が他の可視光成分の階調値よりも小さい値になるように、Ｒ成分の階調値、Ｇ成分の階調値、及び、Ｂ成分の階調値を決定する。さらに、ＣＰＵ３０１は、表示タイプ「ＴＹＰＥ＿ＲＧＢ」のＩＲ成分の階調値を「０」とする。また、ＣＰＵ３０１は、表示タイプ「ＴＹＰＥ＿ＩＲ」について、Ｒ成分、Ｇ成分、及び、Ｂ成分の階調値を「０」とし、ＩＲ成分の階調値を所定の階調値（例えば「１００」）とする。そして、ＣＰＵ３０１は、表示タイプ「ＴＹＰＥ＿ＢＯＴＨ」について、Ｒ成分、Ｇ成分、Ｂ成分、及び、ＩＲ成分の階調値を所定の階調値（例えば「１００」）とする。これによっても、条件７が満たされる。
【０１６９】
図１５（Ａ）は、ユーザ１０６が肉眼で視認するメニュー画像１３００Ｖａを示す。メニュー画像１３００Ｖａの部分１３０１Ｖａ〜１３１３Ｖａ，１３１５Ｖａ〜１３１７Ｖａ，１３１９Ｖａ，１３２０Ｖａは、図１３（Ａ）の部分１３０１ａ〜１３１３ａ，１３１５ａ〜１３１７ａ，１３１９ａ，１３２０ａにそれぞれ対応する。なお、図１５（Ａ）
では、投影での白色が黒色で示され、投影での黒色が白色で示されている。
【０１７０】
図１５（Ａ）に示すように、表示タイプ「ＴＹＰＥ＿ＢＯＴＨ」に対応付けられたアイコン１３１９ａは、アイコン１３１９Ｖａとして視認される。アイコン１３１９ａは、ケース１〜３のいずれにおいても、白色（Ｒ成分の階調値＝Ｇ成分の階調値＝Ｂ成分の階調値＝１００）で視認される（図１４を参照）。表示タイプ「ＴＹＰＥ＿ＲＧＢ」に対応付けられたアイコン１３１１ａ〜１３１３ａ，１３１５ａ〜１３１７ａは、アイコン１３１１Ｖａ〜１３１３Ｖａ，１３１５Ｖａ〜１３１７Ｖａとして視認される。これらは、ケース１ではシアン色（Ｒ成分の階調値＝０かつＧ成分の階調値＝Ｂ成分の階調値＝１００）で視認され、ケース２では青色（Ｒ成分の階調値＝Ｇ成分の階調値＝０かつＢ成分の階調値＝１００）で視認される。また、これらは、ケース３では緑色（Ｒ成分の階調値＝Ｂ成分の階調値＝０かつＧ成分の階調値＝１００）で視認される。そして、表示タイプ「ＴＹＰＥ＿ＩＲ」に対応付けられたアイコン１３１４ａ，１３１８ａは、ＩＲ成分のみで表示されるため、肉眼では視認されない。
【０１７１】
図１６（Ａ）は、ユーザ１０６が暗視ゴーグル１０７越しに視認するメニュー画像１３００ＩＲａを示す。メニュー画像１３００ＩＲａの部分１３０１ＩＲａ〜１３１０ＩＲａ，１３１４ＩＲａ，１３１８ＩＲａ，１３１９ＩＲａ，１３２０ＩＲａは、図１３（Ａ）の部分１３０１ａ〜１３１０ａ，１３１４ａ，１３１８ａ，１３１９ａ，１３２０ａにそれぞれ対応する。なお、図１６（Ａ）では、投影での白色が黒色で示され、投影での黒色が白色で示されている。
【０１７２】
ケース１〜３のいずれにおいても、表示タイプ「ＴＹＰＥ＿ＢＯＴＨ」に対応付けられたアイコン１３１９ａは、ＩＲ成分を用いて表示される。そのため、図１６（Ａ）に示すように、アイコン１３１９ａはアイコン１３１９ＩＲａとして視認される。ケース１〜３のいずれにおいても、表示タイプ「ＴＹＰＥ＿ＲＧＢ」に対応付けられたアイコン１３１１ａ〜１３１３ａ，１３１５ａ〜１３１７ａは、暗視ゴーグル１０７の感度が高い光成分が無いまたは少ない光で表示される。そのため、アイコン１３１１ａ〜１３１３ａ，１３１５ａ〜１３１７ａは、暗視ゴーグル１０７越しには視認されない。そして、ケース１〜３のいずれにおいても、表示タイプ「ＴＹＰＥ＿ＩＲ」に対応付けられたアイコン１３１４ａ，１３１８ａは、ＩＲ成分を用いて表示される。そのため、アイコン１３１４ａ，１３１８ａはアイコン１３１４ＩＲａ，１３１８ＩＲａとして視認される。
【０１７３】
（効果）
以上述べたように、本実施例によれば、肉眼でも暗視ゴーグル越しにでも、重要と考えられる項目に対応するアイコンＶが容易に視認できる。そして、肉眼でも暗視ゴーグル越しにでも、重要と考えられない項目に対応するアイコンＶの視認は、不可能または困難である。そのため、ユーザは、アイコンＶが容易に視認された項目が現在使用すべき項目であり、他の項目が別の機会に使用すべき項目であると、直感的かつ容易に理解することができる。そして、ユーザは、アイコンＶが容易に視認された項目を重要視してメニュー画像を用いた操作を直感的かつ容易に行うことができる（煩雑化の低減）。さらに、メニュー画像について、アイコンＶ以外の全部分が視認できる。そのため、メニュー画像に対してユーザが違和感を抱くことは無く、ユーザの安心感を向上し、ユーザの心理的負担を低減することができる。
【０１７４】
なお、光成分を低減するために、初期階調値よりも小さい階調値として「０」を用いる例を説明したが、これに限られない。初期階調値よりも小さい階調値として「０」よりも大きい値が使用されてもよい。それにより、例えば、表示タイプ「ＴＹＰＥ＿ＩＲ」に対応付けられたアイコン１３１４ａ，１３１８ａを肉眼で視認可能にすることができる。表示タイプ「ＴＹＰＥ＿ＲＧＢ」に対応付けられたアイコン１３１１ａ〜１３１３ａ，１３
１５ａ〜１３１７ａを暗視ゴーグル越しに視認可能にすることもできる。但し、それらの階調値は初期階調値よりも小さいため、それらの視認性は低い。そのため、ユーザは、アイコンＶの視認性が低い項目が別の機会に使用すべき項目であると、直感的かつ容易に理解することができる。
【０１７５】
なお、全ての項目に対してアイコンＶが付加される例を説明したが、表示タイプ「ＴＹＰＥ＿ＩＲ」のアイコンＶと、表示タイプ「ＴＹＰＥ＿ＢＯＴＨ」のアイコンＶとの少なくとも一方が省略されてもよい。アイコンＶの代わりに、他の画像（テキスト等）が使用されてもよい。
【０１７６】
＜実施例３＞
本発明の実施例３ついて説明する。なお、以下では、実施例１，２と異なる点（構成、処理、等）について詳しく説明し、実施例１と同じ点についての説明は省略する。
【０１７７】
図１３（Ｂ）は、本実施例に係るメニュー画像の一例を示す。図１３（Ｂ）のメニュー画像１３００ｂには、タイトル部１３０１ｂ、設定項目１３０２ｂ〜１３１０ｂ、及び、カーソル１３２０ｂが配置されている。タイトル部１３０１ｂは、図７のタイトル部７００に対応する。設定項目１３０２ｂ〜１３１０ｂは、図７の設定項目７０１〜７０９にそれぞれ対応する。カーソル１３２０ｂは、図７のカーソル７１０に対応する。さらに、メニュー画像１３００ｂには、アイコン１３１１ｂ〜１３１８ｂが配置されている。アイコン１３１１ｂ〜１３１８ｂは、設定項目１３０２ｂ〜１３０９ｂにそれぞれ対応付けられている。設定項目１３１０ｂに対応するアイコンは無い。アイコン１３１１ｂ〜１３１８ｂのそれぞれは、例えば、対応する設定項目の設定変更による主な影響が視認できないことを意味する。アイコン１３１１ｂ〜１３１８ｂに記載の「Ｎ」は、「Ｎｏｔ  ｖｉｓｉｂｌｅ」を意味する。
【０１７８】
本実施例では、ＣＰＵ３０１は、メニュー画像１３００ｂの複数の部分のうち、アイコン１３１１ｂ〜１３１８ｂ以外の部分について、肉眼でも暗視ゴーグル越しにでも視認できる階調値を使用する。アイコン１３１１ｂ〜１３１９ｂのそれぞれは、「ＴＹＰＥ＿ＲＧＢ」、「ＴＹＰＥ＿ＩＲ」、及び、「ＴＹＰＥ＿ＢＯＴＨ」の３種類の表示タイプの何れかに分類される。ＣＰＵ３０１は、表示タイプに応じた階調値でアイコン１３１１ｂ〜１３１８ｂを生成する。それにより、メニュー画像１３００ｂが生成される。表示タイプの判断方法は実施例２と同様である。本実施例では、図８のパターン１に基づく方法で表示タイプが判断されたとする。なお、図８のパターン２，３に基づく方法で表示タイプが判断されてよい。本実施例では、ＣＰＵ３０１は、表示タイプ「ＴＹＰＥ＿ＩＲ」に対応するアイコン１３１４ｂ，１３１８ｂの階調値として、実施例２の条件７を満たす値を使用する。
【０１７９】
図１４において、「アイコンＮ」に対応付けられた階調値が、アイコン１３１１ｂ〜１３１８ｂの階調値として使用される。ＣＰＵ３０１は、暗視ゴーグル１０７（暗視ゴーグル１０７の感度特性）に応じて、ケース１〜３の何れかの階調値を選択する。例えば、ＣＰＵ３０１は、暗視ゴーグル１０７に関する情報（暗視ゴーグル１０７の型番、暗視ゴーグル１０７の感度特性情報、等）を、通信部３１７を介して外部から取得する。そして、ＣＰＵ３０１は、取得した情報に基づいて、ケース１〜３の何れかの階調値を選択する。暗視ゴーグル１０７に関する情報は、操作部３０４を用いたユーザ操作によって指定されてもよい。その場合には、ＣＰＵ３０１は、暗視ゴーグル１０７に関する情報として、ユーザ操作に応じた情報を操作部３０４から取得する。
【０１８０】
階調値の選択方法について、具体的に説明する。まず、実施例２と同様に、ＣＰＵ３０１は、Ｒ成分、Ｇ成分、及び、Ｂ成分から、暗視ゴーグル１０７の感度が所定の閾値以上
である光成分を選択する。
次に、ＣＰＵ３０１は、表示タイプ「ＴＹＰＥ＿ＩＲ」に対応する階調値を参照して、ケース１〜３の中から、上記選択した光成分の階調値が初期階調値（例えば「１００」）よりも小さいケースを選択する。例えば、暗視ゴーグルＮＶＧ−Ａの場合には、ＣＰＵ３０１は、Ｒ成分の階調値に着目する。ケース１〜３の全てにおいて、Ｒ成分の階調値「０」は初期階調値「１００」よりも小さい。そのため、ケース１〜３の何れが選択されてもよい。ＮＶＧ−Ｂの特性の場合には、ＣＰＵ３０１は、Ｒ成分の階調値とＧ成分の階調値とに着目する。Ｒ成分の階調値とＧ成分の階調値との両方が初期階調値「１００」よりも小さいのはケース２（Ｒ成分の階調値とＧ成分の階調値との両方が「０」）のみであるため、ケース２が選択される。
【０１８１】
そして、ＣＰＵ３０１は、選択したケースの階調値を、アイコンＮの階調値として使用する。それによって、表示タイプ「ＴＹＰＥ＿ＩＲ」に対応するアイコンＮは、暗視ゴーグル１０７の感度が低い可視光成分のみで表示されることになる。そのため、暗視ゴーグル１０７を用いた状態について、表示タイプ「ＴＹＰＥ＿ＩＲ」に対応するアイコンＮの視認は、不可能または困難となる。
【０１８２】
ケース１〜３の階調値が予め用意される、例えばケース１〜３の階調値がＲＯＭ３０２に予め記録されることにより、上記方法での階調値の決定が可能となる。しかしながら、アイコンＮの階調値の決定方法は、これに限られない。例えば、ＣＰＵ３０１は、暗視ゴーグル１０７の感度特性に基づく演算により、階調値を算出してもよい。具体的には、ＣＰＵ３０１は、Ｒ成分、Ｇ成分、及び、Ｂ成分から、暗視ゴーグル１０７の感度が所定の閾値以上である成分を選択する。そして、ＣＰＵ３０１は、表示タイプ「ＴＹＰＥ＿ＩＲ」について、選択した光成分の階調値が他の可視光成分の階調値よりも小さい値になるように、Ｒ成分の階調値、Ｇ成分の階調値、及び、Ｂ成分の階調値を決定する。さらに、ＣＰＵ３０１は、表示タイプ「ＴＹＰＥ＿ＩＲ」のＩＲ成分の階調値を「０」とする。また、ＣＰＵ３０１は、表示タイプ「ＴＹＰＥ＿ＲＧＢ」について、Ｒ成分、Ｇ成分、及び、Ｂ成分の階調値を「０」とし、ＩＲ成分の階調値を所定の階調値（例えば「１００」）とする。そして、ＣＰＵ３０１は、表示タイプ「ＴＹＰＥ＿ＢＯＴＨ」について、Ｒ成分、Ｇ成分、Ｂ成分、及び、ＩＲ成分の階調値を所定の階調値（例えば「１００」）とする。これによっても、条件７が満たされる。
【０１８３】
図１５（Ｂ）は、ユーザ１０６が肉眼で視認するメニュー画像１３００Ｖｂを示す。メニュー画像１３００Ｖｂの部分１３０１Ｖｂ〜１３１０Ｖｂ，１３１４Ｖｂ，１３１８Ｖｂ，１３２０Ｖｂは、図１３（Ｂ）の部分１３０１ｂ〜１３１０ｂ，１３１４ｂ，１３１８ｂ，１３２０ｂにそれぞれ対応する。なお、図１５（Ｂ）では、投影での白色が黒色で示され、投影での黒色が白色で示されている。
【０１８４】
図１５（Ｂ）に示すように、表示タイプ「ＴＹＰＥ＿ＩＲ」に対応付けられたアイコン１３１４ｂ，１３１８ｂは、アイコン１３１４Ｖｂ，１３１８Ｖｂとして視認される。これらは、ケース１ではシアン色（Ｒ成分の階調値＝０かつＧ成分の階調値＝Ｂ成分の階調値＝１００）で視認され、ケース２では青色（Ｒ成分の階調値＝Ｇ成分の階調値＝０かつＢ成分の階調値＝１００）で視認される（図１４を参照）。また、これらは、ケース３では緑色（Ｒ成分の階調値＝Ｂ成分の階調値＝０かつＧ成分の階調値＝１００）で視認される（図１４を参照）。そして、表示タイプ「ＴＹＰＥ＿ＲＧＢ」に対応付けられたアイコン１３１１ｂ〜１３１３ｂ，１３１５ｂ〜１３１７ｂは、ＩＲ成分のみで表示されるため、肉眼では視認されない。
【０１８５】
図１６（Ｂ）は、ユーザ１０６が暗視ゴーグル１０７越しに視認するメニュー画像１３００ＩＲｂを示す。メニュー画像１３００ＩＲｂの部分１３０１ＩＲｂ〜１３１３ＩＲｂ
，１３１５ＩＲｂ〜１３１７ＩＲｂ，１３２０ＩＲｂは、図１３（Ｂ）の部分１３０１ｂ〜１３１３ｂ，１３１５ｂ〜１３１７ｂ，１３２０ｂにそれぞれ対応する。なお、図１６（Ｂ）では、投影での白色が黒色で示され、投影での黒色が白色で示されている。
【０１８６】
ケース１〜３のいずれにおいても、表示タイプ「ＴＹＰＥ＿ＩＲ」に対応付けられたアイコン１３１４ｂ，１３１８ｂは、暗視ゴーグル１０７の感度が高い光成分が無いまたは少ない光で表示される。そのため、図１６（Ｂ）に示すように、１３１４ｂ，１３１８ｂは、暗視ゴーグル１０７越しには視認されない。そして、ケース１〜３のいずれにおいても、表示タイプ「ＴＹＰＥ＿ＲＧＢ」に対応付けられたアイコン１３１１ｂ〜１３１３ｂ，１３１５ｂ〜１３１７ｂは、ＩＲ成分を用いて表示される。そのため、アイコン１３１１ｂ〜１３１３ｂ，１３１５ｂ〜１３１７ｂはアイコン１３１１ｂ〜１３１３ｂ，１３１５ｂ〜１３１７ｂとして視認される。
【０１８７】
（効果）
以上述べたように、本実施例によれば、肉眼でも暗視ゴーグル越しにでも、重要と考えられない項目に対応するアイコンＮが容易に視認できる。そして、肉眼でも暗視ゴーグル越しにでも、重要と考えられる項目に対応するアイコンＮの視認は、不可能または困難である。そのため、ユーザは、アイコンＮが容易に視認された項目が別の機会に使用すべき項目であり、他の項目が現在使用すべき項目であると、直感的かつ容易に理解することができる。そして、ユーザは、アイコンＮが容易に視認されなかった項目を重要視してメニュー画像を用いた操作を直感的かつ容易に行うことができる（煩雑化の低減）。さらに、メニュー画像について、アイコンＮ以外の全部分が視認できる。そのため、メニュー画像に対してユーザが違和感を抱くことは無く、ユーザの安心感を向上し、ユーザの心理的負担を低減することができる。
【０１８８】
なお、光成分を低減するために、初期階調値よりも小さい階調値として「０」を用いる例を説明したが、これに限られない。初期階調値よりも小さい階調値として「０」よりも大きい値が使用されてもよい。それにより、例えば、表示タイプ「ＴＹＰＥ＿ＲＧＢ」に対応付けられたアイコン１３１１ｂ〜１３１３ｂ，１３１５ｂ〜１３１７ｂを肉眼で視認可能にすることができる。表示タイプ「ＴＹＰＥ＿ＩＲ」に対応付けられたアイコン１３１４ｂ，１３１８ｂを暗視ゴーグル越しに視認可能にすることもできる。但し、それらの階調値は初期階調値よりも小さいため、それらの視認性は低い。そのため、ユーザは、アイコンＮの視認性が低い項目が現在使用すべき項目であると、直感的かつ容易に理解することができる。
【０１８９】
なお、全ての項目に対してアイコンＮが付加されてもよいし、表示タイプ「ＴＹＰＥ＿ＲＧＢ」のアイコンＮは省略されてもよい。アイコンＮの代わりに、他の画像（テキスト等）が使用されてもよい。
【０１９０】
実施例１〜３の各機能部は、個別のハードウェアであってもよいし、そうでなくてもよい。２つ以上の機能部の機能が、共通のハードウェアによって実現されてもよい。１つの機能部の複数の機能のそれぞれが、個別のハードウェアによって実現されてもよい。１つの機能部の２つ以上の機能が、共通のハードウェアによって実現されてもよい。また、各機能部は、ハードウェアによって実現されてもよいし、そうでなくてもよい。例えば、装置が、プロセッサと、制御プログラムが格納されたメモリとを有していてもよい。そして、装置が有する少なくとも一部の機能部の機能が、プロセッサがメモリから制御プログラムを読み出して実行することにより実現されてもよい。
【０１９１】
実施例１〜３はあくまで一例であり、本発明の要旨の範囲内で実施例１〜３の構成を適宜変形したり変更したりすることにより得られる構成も、本発明に含まれる。実施例１〜
３の構成を適宜組み合わせて得られる構成も、本発明に含まれる。
【０１９２】
＜その他の実施例＞
本発明は、上述の実施例の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【符号の説明】
【０１９３】
３０１：ＣＰＵ  ３０７：画像処理部  ３１０：光源制御部
【図１】
2019012892.tif 000003
【図２】
2019012892.tif 000004
【図３】
2019012892.tif 000005
【図４】
2019012892.tif 000006
【図５】
2019012892.tif 000007
【図６】
2019012892.tif 000008
【図７】
2019012892.tif 000009
【図８】
2019012892.tif 000010
【図９】
2019012892.tif 000011
【図１０】
2019012892.tif 000012
【図１１】
2019012892.tif 000013
【図１２】
2019012892.tif 000014
【図１３】
2019012892.tif 000015
【図１４】
2019012892.tif 000016
【図１５】
2019012892.tif 000017
【図１６】
2019012892.tif 000018